(57)【要約】  本発明は、外科用テンプレートおよびこれらの製造方法に関し、これらは、歯科用インプラントの配置などの外科的処置を支援することを目的とし、外科用テンプレートの支持面への位置決めは、支持面に対する外科用テンプレートの力拘束または形状拘束定位が達成されるように配置されている、限定された数の接触機構を使用することによって達成される。
2019528938.tif 000002
【特許請求の範囲】
【請求項１】
口腔の一部分によって規定される３Ｄ支持面に嵌合するための歯科外科用テンプレートであって、
前記外科用テンプレートは、１つまたは複数の歯科用器具を誘導するための１つまたは複数の誘導機構と、少なくとも７つの接触機構から成るセットとを含む本体を有し、各接触機構は、点対面接触部である点接触部によって前記３Ｄ支持面の剛性部分に接触するように構成されており、各点接触部は、特異点接触において前記３Ｄ支持面の前記剛性部分に接触するように構成されており、前記本体は、前記接触機構のセットと前記１つまたは複数の誘導機構とを接続して単一部品にし、前記接触機構のセットを有する前記歯科外科用テンプレートは、前記外科用テンプレートが前記３Ｄ支持面上に設置されるときに、前記３Ｄ支持面と協働して、形状拘束または力拘束を達成するように構成されており、これにより、前記本体は、前記３Ｄ支持面と接触しないように構成され、形状拘束は、前記テンプレートに作用する任意の外力、すなわち力の大きさと力の方向と力の位置との任意の組み合わせによって前記外科用テンプレートを前記３Ｄ支持面からいずれの方向においても取り外すことができない条件であり、このとき、前記３Ｄ支持面が変形することはなく、または、前記外科用テンプレートが変形することはなく、後者は、前記外科用テンプレートの前記本体に対する前記接触機構の位置の変位を含み、力拘束は、前記３Ｄ支持面上での前記外科用テンプレートの把持であり、ここで、前記接触機構のセットの幾何学的設計を通じて任意の力およびモーメントを前記３Ｄ支持面に加えることができ、前記３Ｄ支持面に対する前記外科用テンプレートの任意の運動が接触力による抵抗を受け、結果、前記３Ｄ支持面は何らかの非ゼロの外部仕事なしに前記接触機構のセットとの接触を破ることができない、
歯科外科用テンプレート。
【請求項２】
少なくとも６つの接触機構が受動ロケータ接触機構であり、少なくとも１つの接触機構が能動的締結接触機構である、請求項１に記載の外科用テンプレート。
【請求項３】
前記点接触部が、球形、回転楕円形、円錐形、角錐形または円筒形状の点接触部である、請求項１または２に記載の外科用テンプレート。
【請求項４】
前記点接触部がゼロ面積接触部である、請求項１または２または３に記載の外科用テンプレート。
【請求項５】
前記３Ｄ支持面の前記剛性部分は、顎骨の一部分、天然歯列もしくは歯科修復物、取り外し可能な義歯、固定義歯、充填物、ベニアリングなど、またはそれらのインビトロコピーに対応する、先行する請求項のいずれか１項に記載の外科用テンプレート。
【請求項６】
前記接触機構の１つまたは複数における締結活動を達成するために、
ａ．１つまたは複数の接触機構を、形状拘束の条件を満たす前記３Ｄ支持面の前記剛性部分にスナップ留めすることができるような、前記外科用テンプレートの一時的変形による締結機構であって、すなわち、前記支持面または前記テンプレートが変形されない限り、前記テンプレートはいかなる外力によっていかなる方向にも前記支持面からそれ以上外れることができない、締結機構、
ｂ．形状拘束の条件を満たすためのレバー締結機構であって、すなわち、前記支持面または前記テンプレートが変形しない限り、前記テンプレートはいかなる外力によっていかなる方向にも前記支持面からそれ以上外れることができず、ここで、前記テンプレートの変形は、前記レバー締結接触機構の除去、変形、転位を含み得る、レバー締結機構、
ｃ．形状拘束の条件を満たすためのばね締結機構であって、すなわち、前記支持面または前記テンプレートが変形しない限り、前記テンプレートはいかなる外力によっていかなる方向にも前記支持面からそれ以上外れることができず、ここで、前記テンプレートの変形は、前記ばね締結接触機構の除去、変形、転位を含み得る、ばね締結機構、
ｄ．形状拘束の条件を満たすための、頂点が球形のねじ締結機構であって、すなわち、前記支持面または前記テンプレートが変形しない限り、前記テンプレートはいかなる外力によっていかなる方向にも前記支持面からそれ以上外れることができず、ここで、前記テンプレートの変形は、前記ばね締結接触機構の除去、変形、転位を含み得る、ねじ締結機構、
のうちの任意のものまたは上記の任意の組み合わせをさらに備える、先行する請求項のいずれか１項に記載の外科用テンプレート。
【請求項７】
積層造形技法およびフライス加工またはそれらの組み合わせのいずれかから作成される、先行する請求項のいずれか１項に記載の外科用テンプレート。
【請求項８】
前記物理的接触機構の最終形状および位置がＣＮＣフライス加工ステップによって得られる、積層造形技法とＣＮＣフライス加工との組み合わせから作成される、先行する請求項のいずれか１項に記載の外科用テンプレート。
【請求項９】
前記ＣＮＣ器具が前記位置を決定することを可能にする参照機構を含む、請求項８に記載の外科用テンプレート。
【請求項１０】
歯科用インプラントの配置を支援すること、マーキングを転写すること、または顎骨の縮小または平坦化に使用するための患者特有の外科用テンプレートである、先行する請求項のいずれか１項に記載の外科用テンプレート。
【請求項１１】
歯科用インプラントのための骨切り部を作成すること、および術前計画に従って前記歯科用インプラントを配置することを支援するのに使用するための患者特有の外科用テンプレートである、先行する請求項のいずれか１項に記載の外科用テンプレート。
【請求項１２】
前記術前計画は、ＣＴもしくはＣＢＣＴもしくはＭＲＩ、または光学的走査から選択され、医用画像に記録される容積測定走査画像である、患者の解剖学的構造の画像を含む、請求項１１に記載の外科用テンプレート。
【請求項１３】
骨切り術またはマーキングの転写において使用される外科用器具を誘導するために、前記外科用テンプレート内に前記誘導機構が設けられている、先行する請求項のいずれか１項に記載の外科用テンプレート。
【請求項１４】
前記骨切り術が、骨腔または骨の縮小または平坦化である、請求項１３に記載の外科用テンプレート。
【請求項１５】
１つまたは複数の外科用構成要素が、前記構成要素を手術位置に運ぶために、前記誘導機構内にまたは前記誘導機構を通して挿入され得る、先行する請求項のいずれか１項に記載の外科用テンプレート。
【請求項１６】
前記１つまたは複数の外科用構成要素は、
１つまたは複数のドリルおよび／またはインプラント配置器具、もしくはインプラントホルダ、または
前記顎骨を縮小または平坦化するための骨ピエゾトーム、または
後続の外科的介入に備えて口腔内マーキングを所定の位置に作成するためのマーキング装置である、請求項１５に記載の外科用テンプレート。
【請求項１７】
３Ｄ支持面に嵌合し、前記３Ｄ支持面によって支持されるための歯科外科用テンプレートを作成する方法であって、
前記３Ｄ支持面はヒトの口腔の一部分によって規定され、前記外科用テンプレートは、前記３Ｄ支持面の少なくとも剛性部分に対する、摩擦または無摩擦接触機構の限定されたセットを有し、前記外科用テンプレートが前記３Ｄ支持面に嵌合すると、前記外科用テンプレートおよび前記３Ｄ支持面は協働して力拘束または形状拘束を達成し、
前記方法は、
ＣＴもしくはＣＢＣＴもしくはＭＲＩから、またはインビトロモデルの光学的走査もしくは光学的口腔内走査から選択され、医用画像に記録される容積測定走査法を通じて取得される患者の解剖学的構造の画像を含む術前計画を取得すること、前記３Ｄ支持面に嵌合し、前記３Ｄ支持面によって支持されるための外科用テンプレートのデジタル版を生成すること、前記外科用テンプレート内に、前記３Ｄ支持面の少なくとも剛性部分に対して摩擦または無摩擦接触機構の限定されたセットを提供することであって、前記接触機構は点対面接触部である、提供すること、および、前記外科用テンプレートが前記３Ｄ支持面に嵌合するとき、前記３Ｄ支持面と協働して力拘束または形状拘束を達成する能力に関して、前記外科用テンプレートを評価することであって、形状拘束は、前記テンプレートに作用する任意の外力、すなわち力の大きさと力の方向と力の位置との任意の組み合わせによって前記外科用テンプレートを前記３Ｄ支持面からいずれの方向においても取り外すことができない条件であり、このとき、前記３Ｄ支持面が変形することはなく、または、前記外科用テンプレートが変形することはなく、後者は、前記外科用テンプレートの前記本体に対する前記接触機構の位置の変位を含み、力拘束は、前記３Ｄ支持面上での前記外科用テンプレートの把持であり、ここで、前記接触機構のセットの幾何学的設計を通じて任意の力およびモーメントを前記３Ｄ支持面に加えることができ、前記３Ｄ支持面に対する前記外科用テンプレートの任意の運動が接触力による抵抗を受け、結果、前記３Ｄ支持面は何らかの非ゼロの外部仕事なしに前記接触機構のセットとの接触を破ることができない、評価すること、ならびに
積層造形法または鋳造またはフライス加工またはそれらの組み合わせによって前記外科用テンプレートを作製すること
を含む、方法。
【請求項１８】
前記点接触部が、球形、回転楕円形、円錐形、角錐形または円筒形状の点接触部である、請求項１７に記載の方法。
【請求項１９】
前記点接触部がゼロ面積接触部である、請求項１７または１８に記載の方法。
【請求項２０】
処理エンジン上で実行されると、請求項１７〜１９のいずれか１項に記載の方法を実行する、コンピュータプログラム製品。
【請求項２１】
請求項２０に記載のコンピュータプログラム製品を記憶する非一時的記憶媒体。
【請求項２２】
３Ｄ支持面に嵌合し、前記３Ｄ支持面によって支持されるための外科用テンプレートを作成するためのシステムであって、
前記３Ｄ支持面は、ヒトの口腔の一部分によって規定され、前記外科用テンプレートは、前記３Ｄ支持面の少なくとも剛性部分に対する、摩擦または無摩擦接触機構の限定されたセットを有し、前記接触機構は点接触部であり、前記外科用テンプレートおよび前記３Ｄ支持面は、前記外科用テンプレートが前記支持面に嵌合するときに協働して力拘束または形状拘束を達成し、
前記システムは、
ＣＴもしくはＣＢＣＴもしくはＭＲＩスキャナから、または光学スキャナから選択される容積測定スキャナ、および、走査された医用画像を記録するための手段と、
術前計画からの患者の解剖学的構造の画像を表示することと、３Ｄ支持面に嵌合し、前記３Ｄ支持面によって支持されるための外科用テンプレートのデジタル版を生成することと、前記外科用テンプレート内に、前記３Ｄ支持面の少なくとも前記剛性部分に対する、摩擦または無摩擦接触機構の限定されたセットを提供することと、前記外科用テンプレートが前記支持面に嵌合するとき、前記３Ｄ支持面と協働して力拘束または形状拘束を達成する能力に関して、前記外科用テンプレートを評価することとを行うためのコンピュータと、
前記外科用テンプレートを作製するための積層造形または鋳造またはフライス加工機械またはそれらの組み合わせと、
を備える、システム。
【請求項２３】
前記点接触部が、球形、回転楕円形、円錐形、角錐形または円筒形状の点接触部である、請求項２２に記載のシステム。
【請求項２４】
前記点接触部がゼロ面積接触部である、請求項２２または２３に記載のシステム。
【請求項２５】
外科用テンプレートをデジタル的に設計するためにコンピュータシステムを使用して製造のために前記外科用テンプレートを調製する方法であって、
１）点対面接触部において３Ｄ支持面の第１のデジタル表現と接触する接触機構のセットを提供することであって、前記３Ｄ支持面の前記第１のデジタル表現は、ヒトの口腔の一部によって画定される、接触機構のセットを提供することと、
２）歯科用器具のための１つまたは複数の誘導機構の第２のデジタル表現を提供することと、
３）前記３Ｄ支持面と接触しておらず、前記接触機構のセットと前記１つまたは複数の誘導機構とを単一部品に接続する本体の第３のデジタル表現を提供することであって、前記接触機構の位置は、前記コンピュータシステムによって、最初に、前記外科用テンプレートと前記３Ｄ支持面との間で点接触が発生すべきである、前記３Ｄ支持面の前記第１のデジタル表現上の少なくとも７つの空間位置を数学的に決定することによって、コンピュータシステムによって達成され、前記接触機構のセットの位置は、前記コンピュータシステムによって、数学的力拘束または形状拘束条件に対して、前記３Ｄ支持面の前記第１のデジタル表現上の位置のセットおよび前記３Ｄ支持面の前記第１のデジタル表現に対する前記位置のそれぞれの法線方向を評価する数学的アルゴリズムを通じて決定され、前記外科用テンプレートの前記接触機構のセットは、前記機構が正確にこれらの位置においてゼロ面積点接触部内で前記３Ｄ支持面の前記第１のデジタル表現に接触するようなものである、第３のデジタル表現を提供することと
を含む、方法。
【請求項２６】
前記接触機構が、球形、回転楕円形、円錐形、角錐形または円筒形状の点接触部である、請求項２５に記載の方法。
【請求項２７】
前記接触機構がゼロ面積接触部である、請求項２５または２６に記載の方法。
【請求項２８】
球形または回転楕円形状の点接触部について、球形または回転楕円形接触機構の中心は、前記数学的アルゴリズムによって力または形状拘束条件内にあるように決定された位置において、前記３Ｄ支持面の前記第１のデジタル表現の法線上に配置され、前記法線に沿った中心の前記位置は、選択された半径に依存する、請求項２６または２７に記載の方法。
【請求項２９】
接触球の半径と中心との組み合わせが、前記３Ｄ支持面上の以前に決定されている位置においてゼロ面積点接触部が達成されるようなものである、請求項２８に記載の方法。
【請求項３０】
物理的テンプレートが、デジタル設計面の積層造形またはＣＮＣフライス加工、またはそれらの組み合わせによって達成される、請求項２８または２９に記載の方法。
【発明の詳細な説明】
【技術分野】
【０００１】
本発明は、外科用テンプレート、これらを製造する方法、およびこれらを設計する方法に関し、それによって外科用テンプレートは、再現可能な形状拘束または力拘束定位を有する。本発明はまた、歯科インプラントなどの外科用テンプレートの設計を支援することができるソフトウェア、ならびに再現可能な形状拘束または力拘束定位を有するように製造された外科用テンプレートの画像に関する。
【背景技術】
【０００２】
技術的背景
歯科外科用テンプレートは、外科において、例えば歯科用インプラントの配置の支援における使用を意図した特注の装置である。より具体的には、外科用テンプレートは、意図されたユーザが歯科用インプラントのための骨切り部を作成するのを助け、意図された使用者が術前計画に従って歯科用インプラントを配置するのを助けるように意図することができる。外科用テンプレートは、好ましくは患者特有の方法で調製される、すなわちそれは各患者の解剖学的構造に特有の寸法を有する。
【０００３】
従来の歯科外科用テンプレートは、それらの接触面が支持面のネガ型に基づいているため、口腔内でそれらの支持面と完全に接触しているか、または完全にそれらに対して割り付けられている。支持面状で支持を受ける外科用テンプレートの領域における、元の支持面に対する逸脱は、支持面上への外科用テンプレートの位置決めを不正確にすることになる。
【０００４】
図１ａは、歯列１の歯４または歯肉７の支持面と完全に接触することに完全に依拠する従来のプラスチック外科用テンプレート５を示す。図１ｂは、誘導機構（典型的にはブッシング１４）が組み立てられる、例えば、テンプレート５の本体に挿入される位置にある、図１ａに示されるような従来の外科用テンプレート５の概略断面図を示す。外科用テンプレート５の本体は、部分的に歯列１の支持面のネガ型であり、結果としてその支持のための連続的で完全な接触がもたらされる。図１ｂの例では、支持面の少なくとも一部は歯肉７として示されているが、図１ａでは、支持面は歯４との完全な接触として示されている。図１ｂに示されるように、ブッシング１４の下の空間８は各側で歯肉７の真下のテンプレート５によって両側を覆われており、したがって、提案されているインプラント部位６は歯科医には見えない。また、テンプレート５によってインプラント部位が覆い隠されるために、ドリルがブッシング１４を通って挿入され、インプラントを受けるためのボアを穿孔するために使用されるとき、穿孔作業のための洗浄を提供する可能性が制限される。図２およびまた図２には、既知の外科用テンプレートの断面図が示されており、ここで外科用テンプレートの本体は少なくとも部分的に支持面のネガ型であり、結果として完全な接触をもたらす。図２および図３では、支持面は歯４およびまた歯肉７である。図２では、テンプレート５は、歯４および歯肉７の表面の大部分によって支持されている。図３では、テンプレート５は歯４および歯肉７の表面の部分によって支持されている。歯肉は圧縮性であるため、テンプレートの位置および向きは手術中に変化する可能性がある。
【０００５】
歯科用インプラントの配置を支援するために使用される従来の外科用テンプレートは、手術中にテンプレートを支持面上に指で押し付けることによって、または事前に穿孔された骨切り部においてねじまたはピンを使用して顎骨に固定することによって定位置に保持される。外科用テンプレートを手動で定位置に保持することは、追加の支援、すなわち「追加の手」を必要とするため、外科手術をより複雑にし、これもまた、結果として手術上の自由度および口腔内視認性をより制限し得る。事前に穿孔された骨切り部において固定ねじまたは固定ピンを使用して外科用テンプレートを固定することによって、外科手術にさらなる侵襲的側面が追加される。
【０００６】
「Ｃｕｓｔｏｍ  ｌｉｎｋａｂｌｅ  ｉｍａｇｉｎｇ  ａｎｄ  ｍｕｌｔｉｆｕｎｃｔｉｏｎａｌ  ｔｒａｙ」と題する米国特許第９，２２６，８０１号明細書は、口腔内解剖学的構造の剛性部分のデジタル表現から設計され、かつ接触機構の個別のセットにおいてその口腔内解剖学的構造と接触する外科用テンプレートであり得るトレイを参照する。しかしながら、この特許文献に記載されているこれらの接触機構の形状は特に規定されておらず、接触領域に限定されるが、本質的に連続的であり得る。連続領域にわたる接触は、不完全な走査または製造から生じることがある干渉変形、または突出の影響を受けやすい。さらに、これらの接触機構の位置は、これまで製造前（すなわち、デジタル設計中）に特定の数学的条件（力拘束条件など）に対して決して評価されることはなく、テンプレートの上壁から延伸する接触機構およびテンプレートの側壁から延伸する少なくとも１つの接触機構のみが必要とされている。この特許文献は、テンプレートの取り付けおよび取り外し中に口腔構造が動くのを防止する「往復接触」を伴う実施形態を含む。しかしながら、この往復接触がどのようにして達成されるかは記載されておらず、すなわち、その形状および位置は、固定化が保証されるように具体的には規定されていない。
【０００７】
米国特許出願公開第２０１１／００６６２６７号明細書は、患者の口腔内解剖学的構造の剛性部分上で支持を受ける外科用ドリルガイドを作成する方法を記載している。好ましい実施形態では、外科用テンプレートは、安定化三脚効果をもたらすために少なくとも３つの歯の上で支持される。この特定の実施形態は、外科用テンプレートが一定の外力条件に対してのみ支持面（歯）上で安定したままであることを保証する。例えば、垂直方向下向きの力が加えられてもテンプレートはおそらく安定した位置に留まるが、横方向または上向きの力がテンプレートに加えられたときにテンプレートが所定の位置に留まることは決してない。
【０００８】
国際公開第２０１４／０４０６９５号パンフレットはまた、術前計画に従って骨切り術を行うための外科用テンプレートを製造するための方法を記載している。患者の口腔内構造のデジタル表現は、外科用テンプレートのデジタル設計の基礎として使用される。しかしながら、外科用テンプレートは支持面と連続的に接触し、したがって支持面の境界を超えないことを除いて所定の位置条件に適合しない。
【０００９】
米国特許出願公開第２００４／０１４６８３０号明細書は、個別のピン形状接触先端部を使用した接触測定を通して患者の顎骨の表面形状を測定するためのテンプレートを記載している。これらのピンをロックすることによって、テンプレートの位置を骨構造上に固定化することができる。一実施形態は、そのテンプレートに取り付けられたドリル誘導機構であり得、ドリル誘導機構は、当該機構を骨切り部作成のために外科用テンプレートに供する。この特許出願文献は、個別の接触点を介して剛性の口腔内構造上に外科用テンプレートを支持することを記載しているが、これらの接触点の位置は、テンプレートの製造前に決して決定されない。テンプレートの位置が製造前に決定されないため、手術器具のための誘導機構の位置も術前に決定されず、これは術前計画に従って手術器具の誘導を可能にするための面倒な手順になる。このデバイスはまた、サイズが非常に大きく、特に臼歯の上の上部空間の多くを占める。
【発明の概要】
【課題を解決するための手段】
【００１０】
発明の概要
本発明の実施形態の一態様では、歯科用インプラントの配置などの外科的処置を支援するのに使用することができ、それによって外科用テンプレートを患者の口腔解剖学的構造上にまたはそのインビトロコピー上に配置することができる歯科外科用テンプレートの製造方法が提供され、例えば歯科外科用テンプレートは、口腔内構造に適合させることができ、口腔内構造によって支持することができ、外科用テンプレートの本体は、口腔内構造の剛性部分に関して、口腔内構造の支持面に接触する点接触部である少なくとも７つの接触機構から成るセットを含む。点接触部の数は、８、７から１０、７から１２、７から１５、７から２０、または７から３０であってもよい。点接触部は点対面接触部であり、例えば球形、回転楕円形、円錐形、円筒形または角錐形の点接触部であってもよい。点接触部は、「面積ゼロ」の点接触部、例えば、球形、回転楕円形、円錐形、円筒形、または角錐形状の点接触部であってもよく、ここで「ゼロ面積」とは、デジタル設計されるときに０ｍｍ２の点接触部を意味する。そのような点接触部の物理的接触面積は、古典的な点接触力学からのヘルツモデルを用いた近似によって計算することができる。これらの点接触機構の位置はテンプレートの製造前に決定される、すなわちその位置はそのデジタル設計の一部であり得る。これらの点接触機構の位置は、外科用テンプレートが３Ｄ支持面、好ましくは剛性３Ｄ支持面上に設置されると、外科用テンプレートおよび３Ｄ支持面、例えば、剛性３Ｄ支持面が協働して形状拘束または力拘束を達成する数学的条件に準拠することができる。テンプレートを支持する口腔内構造の表面は、以後、まとめて３Ｄ支持面として参照され、これは好ましくは剛性３Ｄ支持面である。本願で使用されるような３Ｄ支持面は、歯、装着型インプラント、固定または取り外し可能な義歯、歯冠もしくはブリッジもしくは他の修復要素、充填物、ベニアリング、および／またはそれらのインビトロコピーのような、患者の解剖学的構造、例えば、顎骨、歯列、歯茎など、および／または患者に取り付けられる人工装具の一部分に関連し得る。形状拘束は、テンプレートに作用する外力、すなわち力の大きさ／力の方向／力の位置の任意の組み合わせによって外科用テンプレートを支持面からいずれの方向においても取り外すことができない条件として規定される。このとき、支持面が変形することはなく、または、外科用テンプレートが変形することはなく、後者は、外科用テンプレートの本体に対する接触機構の位置の変位を含む。
【００１１】
製造前に、テンプレートはデジタル設計され、以下を備える。
１）例えば、ゼロ面積点接触部のような点対面接触部などの、点接触部として支持面のデジタル表現に接触する最少で７つの接触機構から成るセット。点接触部は、球形、回転楕円形、円錐形、または角錐形、または円筒形であり得、例えば、
２）歯科用器具のための１つまたは複数の誘導機構。および
３）３Ｄ支持面、好ましくは３Ｄ剛性支持面と接触していない本体。本体は、接触機構と１つまたは複数の誘導機構とを接続して単一の部品にする。取り付けられたとき、本体は、好ましくは、接触機構の作用とのいかなる干渉も回避するために、３Ｄ支持面、好ましくは３Ｄ剛性支持面と接触していない。したがって、本体はまた、点接触部の作用を妨げる可能性がある口腔内の他のどの部分とも接触していない。
【００１２】
デジタル設計の物理的テンプレートは、積層造形またはＣＮＣフライス加工のようなフライス加工またはそれらの組み合わせによって製造することができる。外科用テンプレートの接触機構の点接触部、例えば、ゼロ面積点接触部のような点対面接触部の位置は、最初にコンピュータシステムを使用して、３Ｄ支持面のデジタル表現上の少なくとも７つの空間位置のセットを数学的に決定することと、その後、コンピュータシステムを使用して、数学的形状拘束または力拘束条件に対してこの位置のセットを評価することとによって達成することができる。手動で、すなわち人間の対話によって最初の位置セットを指示し、その後、再びコンピュータシステムの適用を通じて自動的に数学的アルゴリズムを実行し、後続する第２、第３、…の空間位置セットを規定することが可能である。これらは、数学的形状拘束または力拘束条件に対してコンピュータシステムを使用して再び評価することができる。外科用テンプレートは、最小および最大数の接触点が上記のように規定される限定された数の接触点を有することが好ましい（例えば、３０未満、２０未満または１５未満、ただし例えば７以上）。
【００１３】
形状拘束または力拘束条件を評価するために、コンピュータシステムは、３Ｄ支持面のデジタル表現上の空間位置の空間座標およびそのデジタル支持面に対するこれらの位置のそれぞれの法線方向を利用する数学的アルゴリズムを実行する。
【００１４】
本発明の特定の実施形態では、コンピュータシステムには、接触機構、すなわち、例えば、形状または力拘束基準を満たすセットの位置の各々において、点接触部内の支持面のデジタル表現に接触する、点対面接触部、例えば、ゼロ面積接触部、または、球形、回転楕円形、円錐形、円筒形、もしくは角錐形状の接触機構をデジタル生成するためにコンピュータシステムによって使用されるソフトウェアが提供される。
【００１５】
球形接触部、すなわち本発明の特定の実施形態の場合、接触する球の中心は、３Ｄ支持面、好ましくはこれらの位置内の３Ｄ支持面に垂直な方向に沿って位置することが好ましい。この線上では、球の中心は、その接触球の選択された半径に正確に等しい、支持面から離れた距離に位置している。結果として、外科用テンプレートは、この接触点の支持面と特異点において干渉する。すなわち、デジタル設計された接触球の表面は、３Ｄ支持面、好ましくは、設計段階において３Ｄ支持面、好ましくは剛性３Ｄ支持面のデジタル表現を貫通せず、３Ｄ支持面、好ましくは剛性３Ｄ支持面のデジタル表現から離れることもない。これは、設計段階においてゼロ面積接触部が意味するものを規定する。好ましくは、すべての点接触部は特異点である。
【００１６】
物理的円錐形、球形、球形、回転楕円形、円筒形、角錐形状の接触機構のような物理的点接触機構のいずれかの半径は０．０１ｍｍから５ｍｍの間にあるべきであり、典型的には、接触部半径サイズは好ましくは０．１ｍｍから１ｍｍの間である。
【００１７】
外科用テンプレートとの接触が確立される３Ｄ支持面の部分は、例えば歯などの、好ましくは剛性のものである。本発明の実施形態は、例えば、歯科用インプラントの配置において、または骨の平坦化もしくは縮小のために、または手術部位をマーキングするために使用することができる外科用テンプレートを提供する。外科用テンプレートは、接触機構、誘導機構および本体が単一の実体であるか、または、接触機構および誘導機構を外科用テンプレートの本体に組み付けることができる単一部品物体とすることができる。ねじを有するなどの調整可能な接触機能は、直接または角度付きねじアクセスによって締め付けることができる。
【００１８】
外科用テンプレートの特に有利な実施形態は、少なくとも６つの静的な、すなわち「ロケータ（ｌｏｃａｔｏｒ）」接触機構と、少なくとも１つの能動的な、すなわち「締結（ｃｌａｍｐｉｎｇ）」接触機構とを有する外科用テンプレートである。
【００１９】
本発明の実施形態はまた、１）力または形状拘束条件を満たす３Ｄ支持面のデジタル表現上の最少７つの接触点位置から成るセットの決定を支援し、２）正確に上記位置にあるゼロ面積点接触部内のような、デジタル表現の支持面を点対面接触部に接触させる少なくとも７つの接触機構から成る限定されたセットを含み、外科用器具のための１つまたは複数の誘導機構、および、これらの接触機構および誘導機構を接続している支持面と相互作用しない本体を含む、外科用テンプレートをデジタル設計する、ソフトウェアならびにそのソフトウェアによって使用される方法およびアルゴリズムに関する。
【００２０】
本発明の実施形態はまた、歯科インプラント用の外科用テンプレートを製造するために使用される方法にも関する。テンプレートは、限定された数の接触機構（例えば、３０未満、２０未満または１５未満かつ７以上）を有し、例えば、テンプレートは、力拘束または形状拘束定位を有する３Ｄ支持面に嵌合する。
【００２１】
本発明の実施形態はまた、３Ｄ支持面上に外科用テンプレートを設置する方法に関し、テンプレートは、力または形状拘束定位を有する３Ｄ支持面に嵌合する、限定された数の上記専用の位置決めされた接触機構（例えば、３０未満、２０未満または１５未満かつ７超）を有する。
【００２２】
本発明の実施形態はまた、ゼロ面積点接触部などの点対面接触部において支持面に接触する限定された数の接触機構（例えば、３０未満、２０未満または１５未満かつ７超）を有する上記外科用テンプレートを使用して歯科インプラントを設置する方法に関し、テンプレートは力または形状拘束定位を有する３Ｄ支持面に嵌合する。
【００２３】
本発明の実施形態は、３Ｄ支持面上への外科用テンプレートの締結が得られるような変形形態を含む。様々な締結メカニズムの例は、（限定されるものではないが）、当接ねじ（複数可）の使用による締結、外科用テンプレートの３Ｄ支持面へのスナップ留めによる締結、接触機構内に締結力をもたらす外科用テンプレート内の内部応力を生成する外科用テンプレートの初期変形による締結、カンチレバー（複数可）の使用による締結、および／またはばね（複数可）の使用による締結であってもよい。
【００２４】
本発明の実施形態は、外科用テンプレートの本体、誘導機構および接触機構に使用される多様な材料を含む。さらに、外科用テンプレートの本体は、複数の材料の組み合わせを含むかまたはそれらから成ることができる。外科用テンプレートの特定の実施形態は、金属製の一体型外科用テンプレートである。
【００２５】
本発明の実施形態は、外科用テンプレートを製造するために使用される多様な技術を含む。製造方法は、積層造形またはより単純には「積層造形」方法、フライス加工方法または手動仕上げもしくは彫刻またはそれらの組み合わせを含むことができる。特定の実施形態は、ＣＮＣ設備が、外科用テンプレートの本体に対する正しい位置においてフライス加工作業（誘導機構のフライス加工、例えば円筒形ブッシングの穴の穿孔など、および、球形接触機構のフライス加工など）を実行することを可能にする移送機構を含む外科用テンプレートを含む。この移送機構により、積層造形によって生成されたテンプレートが、所定の位置において万力（フライス加工用の部品ホルダ）に配置されることが保証される。さまざまな製造方法に適した材料は、以下を含む。
【００２６】
ＳＬＭ：Ｔｉ、ＣｏＣｒ、（ステンレス）鋼、銀、金、青銅、真鍮、アルミニウム
ＳＬＡ：エポキシ樹脂、アクリル樹脂、アクリルエポキシ樹脂、ＴＰＡ
ＦＤＭ：ＡＢＳ、ポリカーボネート、ＰＰＳＵ、
フライス加工：すでに上述した金属、ＡＢＳ、アセタール、アクリル、ＰＯＭ、ガラス繊維入りナイロン、ナイロン、ＰＥＥＫ、フェノール、ＰＣ、ポリエチレン、ポリプロピレン、ポリスチレン、ＰＴＦＥ、ＰＶＣ、ＰＰＳ、ポリアミドポリマー、フルオロポリマー、ＰＥＩ、フッ化炭素樹脂、ガラスエポキシ、ＰＰＥ、ナイロン、ニッケル合金、ベリリウム銅、鉄合金
ＳＬＳ：ポリアミド、ガラス繊維入りポリアミド、アルマイド、難燃性ポリアミド、熱可塑性ポリウレタン
ジェット印刷：アクリレート、樹脂、ビニルポリマー、石膏
真空鋳造：ポリウレタン、ＴＰＥ、ＡＢＳ、ＰＰ、ＰＣ、ＰＥ
一態様では、本発明は、３Ｄ支持面に嵌合してそれによって支持される外科用テンプレートを提供し、この外科用テンプレートは、３Ｄ支持面の少なくとも剛性部分に対する、最少７つの接触機構から成るセットを有し、当該接触機構は、ゼロ面積点接触部のような点対面接触部において支持面に接触し、外科用テンプレートおよび３Ｄ支持面は、外科用テンプレートが支持面上に設置されたときに共同して力または形状拘束を達成する。点接触部は、球形、回転楕円形、円筒形、角錐形または円錐形の接触点であってもよい。限定された数の接触機構および力または形状拘束により、テンプレートの固有、正確かつ再現可能な配置が可能になる。接触機構は、図５ａから図５ｃに示されている受動的ロケータ接触機構または図５ｄに示されているような能動的締結接触機構のいずれかであり得る。
【００２７】
限定された数の接触機構は、３Ｄ支持面の剛性部分とのみ相互作用する。
以下のうちの任意のものまたは以下のものの任意の組み合わせを使用して、接触機構の１つまたは複数における締結活動を達成することができる：１つまたは複数の接触機構を、形状拘束の条件を満たす３Ｄ支持面の剛性部分にスナップ留めすることができるような、外科用テンプレートの一時的変形による締結機構。すなわち、支持面またはテンプレートが変形するかまたは力拘束されない限り、テンプレートはいかなる外力によっていかなる方向にも支持面からそれ以上外れることができない。
【００２８】
ａ．形状拘束の条件を満たすためのレバー締結機構。すなわち、支持面またはテンプレートが変形しない限り、テンプレートはいかなる外力によっていかなる方向にも支持面からそれ以上外れることができない。ここで、テンプレートの変形は、レバー締結接触機構または力拘束の除去、変形、転位を含み得る。
【００２９】
ｂ．形状拘束の条件を満たすためのばね締結機構。すなわち、支持面またはテンプレートが変形しない限り、テンプレートはいかなる外力によっていかなる方向にも支持面からそれ以上外れることができない。ここで、テンプレートの変形は、ばね締結接触機構の、または力拘束に関する除去、変形、転位を含み得る。
【００３０】
ｃ．形状拘束の条件を満たすための、頂点が球形のねじ締結機構。すなわち、支持面またはテンプレートが変形しない限り、テンプレートはいかなる外力によっていかなる方向にも支持面からそれ以上外れることができない。ここで、テンプレートの変形は、ばね締結接触機構の除去、変形、転位を含み得る。
【００３１】
テンプレートは、歯科用インプラントの配置を支援すること、マーキングを転写すること、または顎骨の縮小または平坦化に使用するための患者特有の外科用テンプレートとすることができる。そのような患者特有の外科用テンプレートは、歯科用インプラントのための骨切り部を作成すること、および術前計画に従って歯科用インプラントを配置することを支援するのに使用するためのものであり得る。術前計画は患者の解剖学的構造の画像を含む。これは例えば、ＣＴもしくはＣＢＣＴもしくはＭＲＩから、またはインビトロモデルの光学的走査もしくは口腔内走査のような光学的走査から選択され、医用画像に記録される容積測定走査画像である。
【００３２】
外科用テンプレートは、骨切り術またはマーキングの転写において使用される外科用器具を誘導するために外科用テンプレート内に設けられた誘導機構を含むことができる。骨切り術は、骨腔または骨の縮小もしくは平坦化であり得る。例えば、誘導機構は、１つまたは複数の外科用構成要素または器具を、それを通じてその中に挿入してそれらの外科用構成要素または器具を動作位置に運ぶことができる、シリンダまたはブッシングであり得る。
【００３３】
１つまたは複数の外科用構成要素または器具は、
１つまたは複数のドリルおよび／またはインプラント配置器具、もしくはインプラントホルダ、または
顎骨を縮小または平坦化するための骨ピエゾトーム、または
後続の外科的介入に備えて口腔内マーキングを所定の位置に作成するためのマーキング装置であってもよい。
【００３４】
本発明の別の態様では、３Ｄ支持面に嵌合して支持されるための外科用テンプレートを作製する方法が提供され、外科用テンプレートは、３Ｄ支持面の少なくとも剛性部分に対する最少７つの接触機構から成るセットを有し、接触機構は、ゼロ面積点接触部のような点対面接触部において支持面に接触し、外科用テンプレートおよび３Ｄ支持面は、外科用テンプレートが３Ｄ支持面に取り付けられたときに協働して形状拘束または力拘束を達成し、方法は、ＣＴもしくはＣＢＣＴもしくはＭＲＩから、またはインビトロモデルの走査もしくは口腔内走査のような光学的走査から選択され、医用画像に記録される容積測定走査法を通じて取得される患者の解剖学的構造の画像を含む術前計画を取得すること、３Ｄ支持面、好ましくは剛性３Ｄ支持面に嵌合し、当該支持面によって支持されるための外科用テンプレートのデジタル版を生成すること、外科用テンプレート内に、３Ｄ支持面の少なくとも剛性部分に対してゼロ面積点接触部（例えば、球形、回転楕円体形、円錐形、円筒形または角錐形）のような点対面接触部において支持面に接触する最少７つの接触機構から成るセットを提供すること、および、外科用テンプレートが３Ｄ支持面に嵌合するとき、３Ｄ支持面と協働して力拘束または形状拘束を達成する能力に関して、外科用テンプレートを評価すること、ならびに、積層造形法または鋳造またはフライス加工によって外科用テンプレートを作製することを含む。接触機構は、受動的ロケータ接触機構または能動的締結接触機構のいずれかである。３Ｄ支持面は、ヒトまたは動物の口腔の解剖学的構造もしくはその一部、またはそのインビトロコピーに対応する。
【００３５】
３Ｄ支持面の剛性部分は、顎骨の一部分、天然歯列もしくは歯科修復物、取り外し可能な義歯、固定義歯、充填物、ベニアリングなど、またはそれらのインビトロコピーに対応し得る。
【００３６】
インビトロコピーは、ヒトもしくは動物の天然歯もしくは歯科修復物を含むヒトもしくは動物の歯列、またはヒトもしくは動物の歯列の一部、またはヒトもしくは動物の骨構造、または顎骨のモデルであってもよい。インビトロコピーは、積層造形または鋳造またはフライス加工によって作成することができる。
【００３７】
方法は、以下のうちの任意のものまたは以下の任意の組み合わせを形成して、接触機構の１つまたは複数における締結活動を達成することを含むができる：
１つまたは複数の接触機構を、力拘束または形状拘束の条件を満たす３Ｄ支持面の剛性部分にスナップ留めすることができるような、外科用テンプレートの一時的変形による締結機構、
力拘束または形状拘束の条件を満たすためのレバー締結機構、
力拘束または形状拘束の条件を満たすためのばね締結機構、
ねじが締め付けられると、形状拘束を達成することができる、力拘束の条件を満たすためのねじ締結機構。
【００３８】
外科用テンプレートは、積層造形技法、鋳造およびフライス加工またはそれらの組み合わせのいずれかによって作製することができる。外科用テンプレートは、歯科用インプラントの配置を支援すること、マーキングを転写すること、または顎骨の縮小または平坦化に使用するための患者特有の外科用テンプレートとして調製することができる。患者特有の外科用テンプレートは、歯科用インプラントのための骨切り部を作成すること、および術前計画に従って歯科用インプラントを配置することを支援するのに使用するためのものであり得る。
【００３９】
術前計画は患者の解剖学的構造の画像によって準備することができる。画像は、ＣＴもしくはＣＢＣＴもしくはＭＲＩ、またはインビトロモデルの走査もしくは口腔内走査のような光学的走査から選択され、医用画像に記録される容積測定走査画像である。
【００４０】
方法はまた、外科用テンプレートは、骨切り術またはマーキングの転写において使用される外科用器具を誘導するための誘導機構を外科用テンプレート内に設けることを含むこともできる。骨切り術は、骨腔または骨の縮小もしくは平坦化であり得る。
【００４１】
誘導機構は、１つまたは複数の外科用構成要素を、それを通じてその中に挿入してそれらの外科用構成要素または器具を動作位置に運ぶことができる、シリンダまたはブッシングとして提供することができる。
【００４２】
別の態様では、本発明は、患者に対して骨切り術を実施する方法を提供し、この方法は、３Ｄ支持面、好ましくは剛性３Ｄ面に嵌合して当該支持面によって支持される外科用テンプレートを取得することであって、３Ｄ面は、顎骨、天然歯列、歯科修復物、取り外し可能な義歯、固定義歯、充填物、ベニアリングなどの一部分であり、外科用テンプレートは、３Ｄ支持面の少なくとも剛性部分に関して、ゼロ面積点接触部のような点対面接触部において支持面と接触する最少７つの接触機構から成るセットを有し、例えば、点接触部は、球形、回転楕円形、円筒形、角錐形または円錐形の接触点であり得、外科用テンプレートおよび３Ｄ支持面は、外科用テンプレートが３Ｄ支持面に嵌合するとき、協働して力または形状拘束を達成し、骨切り術において使用される外科用器具を誘導するためのガイドをさらに備え、方法は、外科用テンプレートを３Ｄ支持面上に配置することと、外科用器具を操作することによって骨切り術を実施することとを含む。
【００４３】
別の態様では、本発明は、３Ｄ支持面に嵌合して支持されるための外科用テンプレートを作成するためのシステムを提供し、外科用テンプレートは、３Ｄ支持面の少なくとも剛性部分に対する最少７つの接触機構から成るセットを有し、接触機構は、ゼロ面積点接触部のような点対面接触部において支持面に接触し、外科用テンプレートおよび３Ｄ支持面は、外科用テンプレートが３Ｄ支持面に嵌合するときに協働して力拘束または形状拘束を達成し、システムは、
ＣＴもしくはＣＢＣＴもしくはＭＲＩスキャナから、またはインビトロモデルの走査もしくは口腔内走査のような光学スキャナから選択される容積測定スキャナ、および、走査された医用画像を記録するための手段と、
術前計画からの患者の解剖学的構造の画像を表示することと、３Ｄ支持面のデジタル版に嵌合し、当該デジタル版によって支持されるための外科用テンプレートのデジタル版を生成することと、外科用テンプレートのデジタル版内に、３Ｄ支持面の少なくとも剛性部分に関してゼロ面積点接触部のような点対面接触部において支持面（のデジタル表現）に接触する最少７つの接触機構から成るセットを提供することと、外科用テンプレートが３Ｄ支持面に嵌合するとき、３Ｄ支持面と協働して力拘束または形状拘束を達成する能力に関して、外科用テンプレートを評価することとを行うためのコンピュータと、
外科用テンプレートを作製するための積層造形または鋳造またはフライス加工機械と、
を備える。点接触部は、球形、回転楕円形、円筒形、角錐形または円錐形の接触点であってもよい。
【００４４】
別の態様において、本発明は、処理エンジン上で実行されると、例えば、上記で列挙したような、本発明の方法のいずれかを実行するコンピュータプログラム製品を提供する。コンピュータプログラム製品を記憶するために、非一時的記憶媒体を使用することができる。
【図面の簡単な説明】
【００４５】
【図１ａ】部分無歯顎状況におけるインプラント配置のための既知の外科用テンプレートを示す図である。
【図１ｂ】誘導ブッシングの位置における既知の外科用テンプレートの断面図である。
【図２】歯に支持されている位置における既知の外科用テンプレートの断面図である。
【図３】歯に支持されている位置における既知の外科用テンプレートの断面図である。
【図４ａ】本発明の実施形態による、部分無歯顎状況におけるインプラント配置のための外科用テンプレートを示す図である。
【図４ｂ】締結が３Ｄ支持面に対する当接ねじの使用によって達成される、６つのロケータ接触機構と１つの締結接触機構とを有する、本発明の一実施形態による外科用テンプレートの下面図である。この図における接触機構の形状は球形であり、本発明の１つの特定の実施形態を表すにすぎない。これらの接触機構は、力または形状拘束条件を評価する数学的アルゴリズムによって事前に決定される位置にある、例えばゼロ面積点接触部などの点対面接触部において支持面に接触する。この評価のために、アルゴリズムは、３Ｄ支持面上の空間位置（３Ｄ座標）と、これらの位置における支持面のデジタル表現に対する法線方向の両方を使用する。外科用テンプレートの接触機構がこれらの位置において３Ｄ支持面と正確に接触することを確実にするために、接触機構は、それらが点対面接触、すなわちゼロ面積点接触を可能にするように設計されるべきである。たとえば、球形の接触機構の場合、その球の中心は、これらの位置の支持面に垂直な方向に沿って（テンプレート設計ソフトウェアによって）配置される。この線上では、球の中心は、その接触球の選択された半径に正確に等しい、３Ｄ支持面から離れた距離に位置している。結果として、外科用テンプレートは、３Ｄ支持面と特異点において干渉する、すなわち、接触球の表面は、３Ｄ支持面のデジタル表現を貫通せず、また支持面から離れもしない。
【図４ｃ】誘導ブッシングの位置にある、本発明の実施形態による、部分無歯顎状況におけるインプラント配置のための外科用テンプレートを示す図である。
【図５】図５ａ〜図５ｄは、球形（例えば、摩擦または無摩擦）接触機構を介して３Ｄ支持面と接触している、本発明のさらなる実施形態によるさらなる外科用テンプレートの断面図である。これらの実施形態では、外科用テンプレートの２Ｄ断面は、２次元空間内、すなわち平面内の歯によって形成された３Ｄ支持面の２Ｄ断面に対して形状拘束されている。２Ｄ空間での形状拘束を達成するためには、少なくとも４つの接触機構が関与し、同様に、３Ｄ空間での形状拘束を達成するためには最少７つの接触機構が関与している。図５ａは回転楕円形接触機構を示し、図５ｂはナイフエッジまたは尖鋭な点接触機構を示し、図５ｃは弾性材料から作製することができる組み立てられた接触機構を示し、図５ｄはねじ締結接触機構を示している。
【図６】３Ｄ支持面に対する当接ねじの使用を通して締結が達成される図５ｄに示されるような接触機構の調整を示す図である。形状拘束の条件は、締結接触機構の方向および位置が患者の口の届きにくい領域に配置されることを要求することが可能である。したがって、当接ねじのねじ頭は、ドライバを当接ねじの方向とは異なる方向に向けながら、当接ねじを締め付けることを可能にするヘクサロビュラドライバを受け入れるように設計することができ、そのため、当接ねじを締める機能を保ちながら、口の中でより快適な位置にドライバを位置決めすることが可能である。
【図７】本発明の実施形態による誘導手術を伴うインプラント治療のワークフローを示す。
【図８】本発明の一実施形態による外科用テンプレートを設計するための方法を示す図である。
【発明を実施するための形態】
【００４６】
定義
外科用テンプレートの力拘束定位は、上記３Ｄ支持面、好ましくは剛性３Ｄ支持面上での外科用テンプレートの把持であり、それによって、３Ｄ支持面、好ましくは剛性３Ｄ支持面に対する外科用テンプレートの任意の動きが接触力による抵抗を受ける。これは、３Ｄ支持面、好ましくは剛性の３Ｄ支持面が、ゼロではない外部の仕事がなければ、接触部との接触を破ることができないことを意味する。
【００４７】
形状拘束定位は、外部の非変形の仕事の大きさおよび方向にかかわらず、３Ｄ支持面、好ましくは剛性３Ｄ支持面が接触機構との接触を破ることができないという意味で、力拘束把持のより厳密な適用である。形状拘束は、テンプレートに作用する外力によっても、すなわち、力の大きさと力の方向と力の位置とのいかなる組み合わせによっても、３Ｄ支持面からいかなる方向にも外科用テンプレートを取り外すことができない条件であり、３Ｄ支持面が変形することはなく、または、外科用テンプレートが変形することもない。後者は、外科用テンプレートの本体に対する接触機構の位置の変位を含む。力拘束は、３Ｄ支持面上での外科用テンプレートの把持であり、ここで、接触機構のセットの幾何学的設計を通じて任意の力およびモーメントを３Ｄ支持面に加えることができ、３Ｄ支持面に対する外科用テンプレートの任意の運動が接触力による抵抗を受け、それによって、３Ｄ支持面は何らかの非ゼロの外部仕事なしに接触機構のセットとの接触を破ることができない。
【００４８】
「点対面接触」。歯科技工士および歯科医師は、口腔内および歯列弓内の様々な接触を認識する。これらは以下を含む：
・点対点接触
・点対面接触
・辺対辺接触
・辺対面接触
・面対面接触。
【００４９】
本発明で使用される点接触部は、点対面接触部である。したがって当業者は、本発明で使用される点接触部が歯科技工士および歯科医師の知識と一致することを認識する。これらは、球形、回転楕円形、円錐形、円筒形、または角錐形状の点接触部などであってもよい。
【００５０】
「ゼロ面積」接触部」とは、デジタル設計時、すなわち設計段階において０ｍｍ２の点接触部を意味する。そのような点接触部の物理的接触面積は、古典的な点接触力学からのヘルツモデルを用いた近似によって計算することができる。結果として、例えば、外科用テンプレートは、接触点の支持面と好ましくは特異点において干渉する。すなわち、デジタル設計された接触点の表面は、３Ｄ支持面、好ましくは、設計段階において３Ｄ支持面、好ましくは剛性３Ｄ支持面のデジタル表現を貫通せず、３Ｄ支持面、好ましくは剛性３Ｄ支持面のデジタル表現から離れることもない。
【００５１】
発明の詳細な説明
本発明は、特定の実施形態に関して、および特定の図面を参照して説明されるが、本発明はそれに限定されず、特許請求の範囲によってのみ限定される。記載された図面は概略的なものに過ぎず、限定ではない。本明細書および請求項において用語「備える（ｃｏｍｐｒｉｓｉｎｇ）」が使用される場合、それは他の要素またはステップを排除するものではない。さらに、明細書および特許請求の範囲の第１、第２、第３などの用語は、類似の要素を区別するために使用され、必ずしも順次的または時間的な順序を説明するためではない。そのように使用される用語は、適切な状況下で交換可能であること、および、本明細書に記載の本発明の実施形態は、本明細書に記載または図示されている以外の順序で動作することが可能であることを理解されたい。
【００５２】
本発明の実施形態の一態様では、歯科用インプラントの配置などの外科的処置を支援するのに使用することができる外科用テンプレートが提供される。外科用テンプレートは、患者の口腔解剖学的構造の一部分またはそのインビトロコピー上に配置することができる。テンプレートを支持するこの口腔解剖学的構造は、以後、３Ｄ支持面と呼ばれる。本願で使用されるような３Ｄ支持面は、歯、装着型インプラント、固定または取り外し可能な義歯、歯冠もしくはブリッジもしくは他の修復要素、充填物、ベニアリング、歯茎の歯肉のような軟組織もしくは骨またはそれらのインビトロコピーのような、患者の解剖学的構造、および／または患者、すなわち口腔の一部分に取り付けられる人工装具の一部分に関連し得る。３Ｄ支持面は、好ましくは剛性面である。剛性面は、歯、装着型インプラント、固定または取り外し可能な義歯、歯冠もしくはブリッジもしくは他の修復要素、充填物、ベニアリング、もしくは骨、または、これらのいずれかのインビトロコピーもしくは歯茎の歯肉のような軟組織のインビトロコピーのような、患者の解剖学的構造および／または患者に取り付けられる人工装具の一部分のような、口腔の一部分によって提供され得る。例えば、インビトロコピーを使用してテンプレートを試用することができる。本発明の実施形態は、例えば、歯科用インプラントの配置において、または骨の平坦化もしくは縮小のために、または手術部位をマーキングするために使用することができる外科用テンプレートを提供した。限定された数の接触機構（例えば、３０未満、２０未満、または１５未満かつ７以上）を有する外科用テンプレートには、３Ｄ支持面、好ましくは剛性３Ｄ支持面上での外科用テンプレートの力拘束または形状拘束定位が達成されるように専用の定位が与えられ、外科用テンプレートは術前計画に従って調製される。接触機構は、外科用テンプレートの本体に組み付けることができる。ねじを有するなどの調整可能な接触機能は、直接または角度付きねじアクセスによって締め付けることができる。
【００５３】
外科用テンプレートの力拘束定位は、上記３Ｄ支持面、好ましくは剛性３Ｄ支持面上での外科用テンプレートの把持であり、それによって、３Ｄ支持面、好ましくは剛性３Ｄ支持面に対する外科用テンプレートの任意の動きが接触力による抵抗を受ける。これは、３Ｄ支持面、好ましくは剛性の３Ｄ支持面が、ゼロではない外部の仕事がなければ、接触部との接触を破ることができないことを意味する。形状拘束定位は、外部の非変形の仕事の大きさおよび方向にかかわらず、３Ｄ支持面、好ましくは剛性３Ｄ支持面が接触機構との接触を破ることができないという意味で、力拘束把持のより厳密な適用である。外科用テンプレートの力拘束定位は、少なくとも２つの柔軟指摩擦接触部、または少なくとも３つの硬質指摩擦接触部、または少なくとも７つの無摩擦接触部を用いて達成される。その理由は、２つの柔軟指摩擦接触部ではなく、２つの硬質指接触部による把持では、２つの接触点を結ぶ線の周りにトルクを発生させることができず、またはトルクに抵抗することができないためである。形状拘束は、少なくとも７つの接触機構によってのみ達成することができる。形状拘束は、無接触機構によって達成することができる。外科用テンプレートは、７つより多くの接触機構を含み得るが、これらの追加の接触機構は、力拘束または形状拘束を達成するためにあまり使用されていなくても、より良好な安定性を提供し得る。接触機構は互いに干渉すべきではなく、それによって、接触機構の最大数は、外科用テンプレートの本体によって覆われる３Ｄ支持面、好ましくは剛性３Ｄ支持面のサイズおよび接触機構のサイズによって規定される。後者は、０．０１ｍｍから５ｍｍの間にあるべき接触半径によって規定することができ、典型的には接触半径のサイズはむしろ０．１ｍｍから１ｍｍの間になる。単純にするために、外科用テンプレートは、最小および最大数の接触点が上記のように規定される限定された数の接触点を有すると考えられる（例えば、３０未満、２０未満または１５未満、７以上）。外科用テンプレートの特に有利な実施形態は、６つの静的、すなわち「ロケータ」接触機構と１つの能動的、すなわち「締結」接触機構とを有する外科用テンプレートであり、ここで、ロケータ接触機構はほとんど摩擦がないと考えられ、締結接触機構は摩擦があってもよく、またはなくてもよい。
【００５４】
本発明の実施形態はまた、歯科インプラント用の外科用テンプレートの設計を支援するソフトウェアならびにそのソフトウェアによって試用される方法およびアルゴリズムにも関する。テンプレートは、限定された数の接触機構を有し、例えば、テンプレートは、例えば、３０未満、２０未満または１５未満かつ７以上の接触機構による力拘束または形状拘束定位を有する３Ｄ支持面、好ましくは剛性３Ｄ支持面に嵌合する。
【００５５】
本発明の実施形態はまた、歯科インプラント用の外科用テンプレートを製造するために使用される方法にも関する。テンプレートは、限定された数の接触機構（例えば、３０未満、２０未満または１５未満かつ７以上）を有し、例えば、テンプレートは、力拘束または形状拘束定位を有する３Ｄ支持面、好ましくは剛性３Ｄ支持面に嵌合する。
【００５６】
本発明の実施形態はまた、３Ｄ支持面上に、好ましくは剛性３Ｄ支持面上に外科用テンプレートを設置する方法に関し、テンプレートは、力拘束または形状拘束定位を有する３Ｄ支持面、好ましくは剛性３Ｄ支持面に嵌合する、限定された数の上記専用の位置決めされた接触機構（例えば、３０未満、２０未満または１５未満かつ７超）を有する。
【００５７】
本発明の実施形態は、３Ｄ支持面上への、好ましくは剛性３Ｄ支持面上への外科用テンプレートの締結が得られるような変形形態を含む。様々な締結メカニズムの例は、（限定されるものではないが）、固定ねじ（複数可）の使用による締結、外科用テンプレートの３Ｄ支持面、好ましくは剛性３Ｄ支持面へのスナップ留めによる締結、接触機構内に締結力をもたらす外科用テンプレート内の内部応力を生成する外科用テンプレートの初期変形による締結、カンチレバー（複数可）の使用による締結、および／またはばね（複数可）の使用による締結であってもよい。
【００５８】
本発明の実施形態はまた、外科用テンプレートを使用して歯科用インプラントを設置する方法にも関する。テンプレートは、限定された数の接触機構（例えば、３０未満、２０未満または１５未満かつ７以上）を有し、例えば、テンプレートは、力拘束定位または形状拘束を有する３Ｄ支持面、好ましくは剛性３Ｄ支持面に嵌合する。
【００５９】
本発明の実施形態は、外科用テンプレートの本体、誘導機構および接触機構に使用される多様な材料を含む。さらに、外科用テンプレートの本体は、複数の材料の組み合わせを含むかまたはそれらから成ることができる。外科用テンプレートの特定の実施形態は、金属製の一体型外科用テンプレートである。
【００６０】
本発明の実施形態は、外科用テンプレートを製造するために使用される多様な技術を含む。製造方法は、積層造形またはより単純には「積層造形」方法、フライス加工方法または手動仕上げもしくは彫刻またはそれらの組み合わせを含むことができる。様々な異なる製造方法に適した材料を以下に規定する。
【００６１】
ＳＬＭ：Ｔｉ、ＣｏＣｒ、（ステンレス）鋼、銀、金、青銅、真鍮、アルミニウム
ＳＬＡ：エポキシ樹脂、アクリル樹脂、アクリルエポキシ樹脂、ＴＰＡ
ＦＤＭ：ＡＢＳ、ポリカーボネート、ＰＰＳＵ、
フライス加工：すでに上述した金属、ＡＢＳ、アセタール、アクリル、ＰＯＭ、ガラス繊維入りナイロン、ナイロン、ＰＥＥＫ、フェノール、ＰＣ、ポリエチレン、ポリプロピレン、ポリスチレン、ＰＴＦＥ、ＰＶＣ、ＰＰＳ、ポリアミドポリマー、フルオロポリマー、ＰＥＩ、フッ化炭素樹脂、ガラスエポキシ、ＰＰＥ、ナイロン、ニッケル合金、ベリリウム銅、鉄合金
ＳＬＳ：ポリアミド、ガラス繊維入りポリアミド、アルマイド、難燃性ポリアミド、熱可塑性ポリウレタン
ジェット印刷：アクリレート、樹脂、ビニルポリマー、石膏
真空鋳造：ポリウレタン、ＴＰＥ、ＡＢＳ、ＰＰ、ＰＣ、ＰＥ
一態様では、本発明は、３Ｄ支持面、好ましくは剛性３Ｄ支持面に嵌合し、当該支持面によって支持される外科用テンプレートを提供する。外科用テンプレートは、３Ｄ支持面の少なくとも剛性部分に関して、摩擦または無摩擦接触機構の限定されたセットを有し、外科用テンプレートが３Ｄ支持面、好ましくは剛性３Ｄ支持面上に設置されると、外科用テンプレートおよび３Ｄ支持面、好ましくは、剛性３Ｄ支持面は協働して力拘束または形状拘束を達成する。限定された数の接触点および形状または力拘束により、テンプレートの正確かつ再現可能な配置が可能になる。接触機構は、図５ａから図５ｃに示されている受動的ロケータ接触機構または図５ｄに示されているような能動的締結接触機構のいずれかであり得る。
【００６２】
３Ｄ支持面、好ましくは剛性３Ｄ支持面は、ヒトもしくは動物の口腔解剖学的構造もしくはその一部、または口腔の一部のようなそのインビトロコピーに対応する。３Ｄ支持面は剛性構成要素から構成されるべきであり、３Ｄ支持面の剛性部分は、好ましくは、顎骨の一部分、天然歯列もしくは歯科修復物、取り外し可能な義歯、固定義歯、充填物、ベニアリングなど、またはそれらのインビトロコピーに対応する。ビトロコピーは、ヒトもしくは動物の天然歯もしくは歯科修復物を含むヒトもしくは動物の歯列、またはヒトもしくは動物の歯列の一部、またはヒトもしくは動物の骨構造、または顎骨のモデルであってもよい。インビトロコピーは、積層造形または鋳造またはフライス加工によって作成することができる。インビトロコピーは、患者にアクセスできない歯科技工士がテンプレートの設計を改良することを可能にする。
【００６３】
以下のうちの任意のものまたは以下の任意の組み合わせを使用して、接触機構の１つまたは複数における締結活動を達成することを含むができる：
ａ．１つまたは複数の接触機構を、力拘束または形状拘束の条件を満たす３Ｄ支持面の剛性部分のアンダーカット領域にスナップ留めすることができるような、外科用テンプレートの一時的変形による締結機構、
ｂ．力拘束または形状拘束の条件を満たすためのレバー締結機構、
ｃ．力拘束または形状拘束の条件を満たすためのばね締結機構、
ｄ．ねじが締め付けられると、形状拘束を達成することができる、力拘束の条件を満たすためのねじ締結機構。
【００６４】
外科用テンプレートは、積層造形技法、鋳造およびフライス加工またはそれらの組み合わせのいずれかから作製することができる。テンプレートは、歯科用インプラントの配置を支援すること、マーキングを転写すること、または顎骨の縮小または平坦化に使用するための患者特有の外科用テンプレートとすることができる。そのような患者特有の外科用テンプレートは、歯科用インプラントのための骨切り部を作成すること、および術前計画に従って歯科用インプラントを配置することを支援するのに使用するためのものであり得る。術前計画は患者の解剖学的構造の画像を含む。これは例えば、ＣＴもしくはＣＢＣＴもしくはＭＲＩから、またはインビトロモデルの光学的走査もしくは口腔内走査のような光学的走査から選択され、医用画像に記録される容積測定走査画像である。
【００６５】
外科用テンプレートは、骨切り術またはマーキングの転写において使用される外科用器具を誘導するために外科用テンプレート内に設けられた誘導機構を含むことができる。骨切り術は、骨腔または骨の縮小もしくは平坦化であり得る。例えば、誘導機構は、１つまたは複数の外科用構成要素または器具を、それを通じてその中に挿入してそれらの外科用構成要素または器具を動作位置に運ぶことができる、シリンダまたはブッシングであり得る。
【００６６】
１つまたは複数の外科用構成要素または器具は、
１つまたは複数のドリルおよび／またはインプラント配置器具、もしくはインプラントホルダ、または
顎骨を縮小または平坦化するための骨ピエゾトーム、または
後続の外科的介入に備えて口腔内マーキングを所定の位置に作成するためのマーキング装置であってもよい。
【００６７】
本発明の別の態様では、３Ｄ支持面、好ましくは剛性３Ｄ支持面に嵌合してそれによって支持される外科用テンプレートを作製する方法が提供され、外科用テンプレートは、３Ｄ支持面の少なくとも剛性部分に関して、摩擦または無摩擦接触機構の限定されたセットを有し、外科用テンプレートが支持面、好ましくは剛性３Ｄ支持面に嵌合されると、外科用テンプレートおよび３Ｄ支持面、例えば、剛性３Ｄ支持面は協働して力拘束または形状拘束を達成する。方法は、ＣＴもしくはＣＢＣＴもしくはＭＲＩから、またはインビトロモデルの走査もしくは口腔内走査のような光学的走査から選択され、医用画像に記録される容積測定走査法を通じて取得される患者の解剖学的構造の画像を含む術前計画を取得すること、３Ｄ支持面、好ましくは剛性３Ｄ支持面に嵌合し、当該支持面によって支持されるための外科用テンプレートのデジタル版を生成すること、外科用テンプレート内に、３Ｄ支持面の少なくとも剛性部分に関して摩擦または無摩擦接触機構の限定されたセットを提供すること、および、外科用テンプレートが３Ｄ支持面、好ましくは剛性３Ｄ支持面に嵌合するとき、３Ｄ支持面、好ましくは剛性３Ｄ支持面と協働して力拘束または形状拘束を達成する能力に関して、外科用テンプレートを評価すること、ならびに、積層造形または鋳造またはフライス加工によって外科用テンプレートを作製することを含む。接触機構は、受動的ロケータ接触機構または能動的締結接触機構のいずれかである。３Ｄ支持面、好ましくは剛性３Ｄ支持面は、口腔の一部のような、ヒトもしくは動物の口腔解剖学的構造もしくはその一部、またはそのインビトロコピーに対応する。
【００６８】
３Ｄ支持面の剛性部分は、顎骨の一部分、天然歯列もしくは歯科修復物、取り外し可能な義歯、固定義歯、充填物、ベニアリングなど、またはそれらのインビトロコピー、例えば歯茎または歯肉のインビトロコピーに対応し得る。
【００６９】
インビトロコピーは、ヒトもしくは動物の天然歯もしくは歯科修復物を含むヒトもしくは動物の歯列、またはヒトもしくは動物の歯列の一部、またはヒトもしくは動物の骨構造、または顎骨のモデルであってもよい。インビトロコピーは、積層造形または鋳造またはフライス加工によって作成することができる。
【００７０】
方法は、以下のうちの任意のものまたは以下の任意の組み合わせを形成して、接触機構の１つまたは複数における締結活動を達成することを含むができる：
１つまたは複数の接触機構を、力拘束または形状拘束の条件を満たす３Ｄ支持面の剛性部分にスナップ留めすることができるような、外科用テンプレートの一時的変形による締結機構、
力拘束または形状拘束の条件を満たすためのレバー締結機構、
力拘束または形状拘束の条件を満たすためのばね締結機構、
ねじが締め付けられると、形状拘束を達成することができる、力拘束の条件を満たすためのねじ締結機構。
【００７１】
外科用テンプレートは、積層造形技法、鋳造およびフライス加工またはそれらの組み合わせのいずれかによって作製することができる。外科用テンプレートは、歯科用インプラントの配置を支援すること、マーキングを転写すること、または顎骨の縮小または平坦化に使用するための患者特有の外科用テンプレートとして調製することができる。患者特有の外科用テンプレートは、歯科用インプラントのための骨切り部を作成すること、および術前計画に従って歯科用インプラントを配置することを支援するのに使用するためのものであり得る。
【００７２】
術前計画は患者の解剖学的構造の画像によって準備することができる。画像は、ＣＴもしくはＣＢＣＴもしくはＭＲＩ、またはインビトロモデルの走査もしくは口腔内走査のような光学的走査から選択され、医用画像に記録される容積測定走査画像である。
【００７３】
方法はまた、外科用テンプレートは、骨切り術またはマーキングの転写において使用される外科用器具を誘導するための誘導機構を外科用テンプレート内に設けることを含むこともできる。骨切り術は、骨腔または骨の縮小もしくは平坦化であり得る。
【００７４】
誘導機構は、１つまたは複数の外科用構成要素を、それを通じてその中に挿入してそれらの外科用構成要素または器具を動作位置に運ぶことができる、シリンダまたはブッシングとして提供することができる。
【００７５】
別の態様では、本発明は、患者に対して骨切り術を実施する方法を提供し、この方法は、３Ｄ支持面に嵌合して当該支持面によって支持される外科用テンプレートを取得することであって、３Ｄ面は、顎骨、天然歯列、歯科修復物、取り外し可能な義歯、固定義歯、充填物、ベニアリングなどの一部分、すなわち、好ましくは剛性３Ｄ支持面であり、外科用テンプレートは、３Ｄ支持面の少なくとも剛性部分に関して、摩擦または無摩擦接触機構の限定されたセットを有し、外科用テンプレートおよび３Ｄ支持面、好ましくは剛性３Ｄ支持面は、外科用テンプレートが３Ｄ支持面、好ましくは剛性３Ｄ支持面に嵌合するとき、協働して力拘束または形状拘束を達成し、骨切り術において使用される外科用器具を誘導するためのガイドをさらに備え、方法は、外科用テンプレートを３Ｄ支持面上に、好ましくは剛性３Ｄ支持面上に配置することと、外科用器具を操作することによって骨切り術を実施することとを含む。
【００７６】
別の態様では、本発明は、３Ｄ支持面、好ましくは剛性３Ｄ支持面に嵌合してそれによって支持される外科用テンプレートを作成するためのシステムを提供し、外科用テンプレートは、３Ｄ支持面の少なくとも剛性部分に関して、摩擦または無摩擦接触機構の限定されたセットを有し、外科用テンプレートが３Ｄ支持面に、好ましくは剛性３Ｄ支持面に嵌合されると、外科用テンプレートおよび３Ｄ支持面、好ましくは、剛性３Ｄ支持面は協働して力拘束または形状拘束を達成する。システムは、
ＣＴもしくはＣＢＣＴもしくはＭＲＩスキャナから、またはインビトロモデルの走査もしくは口腔内走査のような光学スキャナから選択される容積測定スキャナ、および、走査された医用画像を記録するための手段と、
術前計画からの患者の解剖学的構造の画像を表示することと、３Ｄ支持面、好ましくは剛性３Ｄ支持面に嵌合し、当該３Ｄ支持面によって支持されるための外科用テンプレートのデジタル版を生成することと、外科用テンプレート内に、３Ｄ支持面の少なくとも剛性部分に対して摩擦または無摩擦接触機構の限定されたセットを提供することと、および、外科用テンプレートが３Ｄ支持面、好ましくは剛性３Ｄ支持面に嵌合するとき、３Ｄ支持面、好ましくは剛性３Ｄ支持面と協働して力拘束または形状拘束を達成する能力に関して、外科用テンプレートを評価することとを行うためのコンピュータと、
外科用テンプレートを作製するための積層造形または鋳造またはフライス加工機械と、
を備える。
【００７７】
別の態様において、本発明は、処理エンジン上で実行されると、例えば、上記で列挙したような、本発明の方法のいずれかを実行するコンピュータプログラム製品を提供する。コンピュータプログラム製品を記憶するために、非一時的記憶媒体を使用することができる。
【００７８】
本発明の実施形態を詳細に説明する前に、図７に示すような、本発明の実施形態に関連する、コンピュータ誘導手術を用いた歯科用インプラント配置のステップを説明する。これらのステップは、本発明の実施形態の一部として含まれてもよい。インプラント配置の目的は、患者に、これらのインプラントを介して顎骨に固定することができるものよりも、歯科修復物を提供することである。本発明の実施形態は、インプラント歯科学に関し、特に、例えば、例として術前計画で決定された位置にドリルおよびインプラントドライバなどの外科用器具を誘導するための、外科用テンプレートの設計、製造および使用に関する。
【００７９】
術前計画への入力は、患者の解剖学的構造、例えば顎骨および歯列の従来のまたはコーンビーム（ＣＢ）走査、コンピュータトモグラフィ（ＣＴ）走査、またはＭＲＩ走査などの容積測定走査から、任意選択的に、インビトロモデルの光学的走査または口腔内の光学的走査または口腔外の光学的、ＣＴもしくはＭＲＩ走査のような他のタイプの走査によって得られる１つまたは複数の画像である。１回以上の走査から、例えば、当業者に既知のソフトウェアおよび従来の技法を使用することによって、患者の解剖学的構造、例えば歯列のデジタル化が得られる。術前計画では、患者の解剖学的構造、例えば骨および歯列のデジタル化が組み合わされ、歯科外科医または医師は、それらの最適または最善の可能な臨床的および任意選択的に審美的な位置において仮想的にインプラント位置を計画するか、または第三者から術前計画を受信して検討する。次に、歯科外科医または医師は、外科用テンプレートが支持を受ける必要がある３Ｄ支持面のタイプ、および外科用テンプレートと共に使用される外科用器具のタイプを指示し、これらは外科用テンプレートの誘導機構の位置および寸法を規定する。
【００８０】
仮想インプラント計画および外科用テンプレート処方を含む術前計画が完成すると、外科用テンプレートのデジタル設計を可能にするソフトウェアが当業者によって使用される。その後、この外科用テンプレートが製造され、インプラント治療手術を実行する歯科外科医に送られる。手術中、外科用テンプレートは患者の口内の３Ｄ支持面に設置される。本発明の任意の実施形態に関して、口腔内の支持面のインビトロコピーにテンプレートを適用することもできる。そのようなインビトロコピーは、例えば、積層造形または鋳造またはフライス加工によって作製することができる。
【００８１】
本発明の実施形態による外科用テンプレートは、患者の口内の３Ｄ支持面に適合し、３Ｄ支持面は、ａ）１つまたは複数の患者の歯、または、ｂ）固定または取り外し可能な義歯、ブリッジ、充填物、ベニアリングなどの修復物、または、ｃ）顎骨、または、ｄ）歯肉などの軟組織、またはこれらの任意の組み合わせであり得る。
【００８２】
手術中、顎骨にインプラントを配置するなどの外科手術の前に骨切り部が作成される。例えば、コンピュータ誘導手術が適用される、または適用される可能性がある本発明の実施形態に関して、その目的は骨切り術を行うこと、および
ａ）術前計画に従ってインプラントを効果的にまたは可能な限り正確に配置すること、
ｂ）手術ステップが実施されるべき位置にマーキングすること、
ｃ）顎骨隆線を縮小または平坦化にする、または、空洞を形成することである。
【００８３】
そのような実施形態では、以下のような１つまたは複数の外科用器具を誘導する外科用テンプレートが作製される。
【００８４】
ａ）１つまたは複数のドリルおよび／またはインプラント配置器具、すなわちインプラントホルダ、または
ｂ）顎骨を縮小または平坦化するための骨ピエゾトーム、または
ｃ）後続の外科的介入に備えて口腔内マーキングを所定の位置に作成するためのマーキング装置。
【００８５】
本発明の実施形態は、以下の特性のうちの１つ以上を有することができる。
・本発明の実施形態である外科用テンプレートは、連続的な接触領域ではなく、３Ｄ支持面、好ましくは剛性の３Ｄ支持面との個別の機械的界面を提供する限定されたサイズの接触機構を形成する球形、円錐形、角錐形、または円筒形状の要素を含む。
【００８６】
・本発明の実施形態である外科用テンプレートは、固有の、安定した正確に再位置決め可能なテンプレートを提供する３Ｄ支持面の剛性部分とのみ接触している接触機構を含む。
【００８７】
・本発明の実施形態である外科用テンプレートは、締結接触機構を含むことができ、締結接触機構は、例えば、ヘクサロビュラねじおよびドライバを使用することによって角度付きアクセスを備えた当接ねじによる固定を含むことができる。
【００８８】
・本発明の実施形態である外科用テンプレートは、各々が安定した正確な最位置決め可能テンプレートを提供することができる、力拘束またはより好ましくは形状拘束定位にある球形、回転楕円形、円錐形、円筒形、または角錐形状の接触機構（すなわち、線接触部または点接触部ではあるが連続接触領域ではない）を含む。
【００８９】
外科用テンプレートの本体に組み付けることができる接触機構を含む外科用テンプレートは、それによって異なる材料の使用を可能にし、したがって、接触機構の異なる摩擦特性を提供する。
【００９０】
本発明の実施形態による外科用テンプレートは、好ましくは、１つまたは複数の外科用器具を、術前計画において計画されたような位置および向きに誘導するために、１つまたは複数の誘導機構、典型的にはシリンダまたはブッシングまたは誘導面を含む。図４ａにおいて、本発明の実施形態による外科用テンプレート１０は、外科用テンプレート１０が、例えば、６のような１つまたは複数の手術部位に隣接または近接する歯４を含む３Ｄ支持面上に支持される部分無歯顎状況について示されている。これらは、骨切り部が作成されることになり、インプラントが配置されることになるなどの外科的処置を実行することができる１つまたは複数の位置である。歯４は、本発明の実施形態による外科用テンプレートがその上に力拘束または形状拘束様式で載置されることになる剛性３Ｄ支持面の一部分を形成する。歯２のいくつかは外科用テンプレート１０を支持する必要はない。固定または取り外し可能な義歯、ブリッジもしくは歯冠、充填物またはベニアリング、または歯肉を通して露出されたまたは到達可能なときの骨のような修復要素もまた、剛性３Ｄ支持面の一部を形成することができる。任意選択的に、剛性部分に加えて、歯肉などの軟組織７を使用して、テンプレート１０の一部を支持することができる。テンプレート１０は、１つまたは複数の被支持区画１１を含み、例えば、ドリルのような１つまたは複数の外科用器具を誘導するために使用されることになっているボア１２を有するシリンダまたはブッシング１４などの１つまたは複数の誘導機構を有する。テンプレート１０は、一般に、少なくとも２つの支持区画１１と、１つまたは複数の手術部位にわたる誘導機構とを含む。図４ａでは、ボア１２を有するシリンダ１４である誘導機構は、外科用テンプレート１０の本体と一体（一体に形成されている）であり、例えば、特に金属テンプレートについては同じ材料から作製することができる。代替的に、ただしあまり好ましくないが、シリンダ１４などの誘導機構が、外科用テンプレート１０の本体内に挿入され、埋め込まれ、または組み立てられる。この誘導機構はシリンダ１４として示されており、このシリンダ１４はドリルを上から（または上顎については下から）挿入することを必要とする。しかしながら、シリンダまたはブッシング１４は、ドリルのような外科用器具が側面から導入されることを可能にするために片側で切り取られてもよい。これは、上部から（または上顎の下から）ドリルを挿入するのに十分な上部空間が口内にない場合に使用することができる。本発明の実施形態は、外科用テンプレート１０の本体内に（テンプレートと一体に）組み込まれた、または埋め込まれたまたは組み立てられた誘導機構を可能にする。
【００９１】
図４ｃは、誘導機構（典型的にはシリンダまたはブッシング１４）がテンプレート１０の本体に一体化されているかまたは埋め込まれている位置にある、本発明の実施形態による外科用テンプレート１０の概略断面図を示す。本発明の実施形態は、外科用テンプレート１０の本体内に組み込まれたまたは埋め込まれたまたは組み立てられた誘導機構を可能にするが、一体型（テンプレートと一体で同じ材料から作製される）誘導機構が特に金属製テンプレートには好ましい。外科用テンプレート１０の本体に組み付けられるとき、シリンダ１４などの誘導機構は、ブッシングの形態であり得、外科用テンプレート１０の材料とは異なる材料から成り得る。例えば、テンプレート１０はアクリルのようなプラスチック材料から作製することができ、シリンダ１４は金属ブッシングの形態とすることができる。誘導シリンダ１４は、（例えば、術前計画において歯科外科医または医師によって示されるように）１つまたは複数の手術器具を術前に計画された骨切り部およびインプラント位置６へと誘導するような横方向および垂直位置ならびに角度において位置決めされる。図４ｃは、インプラントが配置されるべき位置６にある歯肉７と、シリンダまたはブッシング１４の底部との間の空間８を示す。この空間８は任意選択であり、誘導機構、例えばシリンダまたはブッシング１４を歯肉７まで延伸することによって回避することができるが、存在する場合、以下の利点がある。
【００９２】
ａ）従来のテンプレートよりもインプラント部位６のより良好な視認性を提供する。
ｂ）手術時、例えば、インプラントが配置される顎骨内の骨にボアを穿孔するとき、ドリルのような外科用器具の良好な洗浄のための空間を提供する。
【００９３】
ｃ）無切開または最小切開処置が実行され得るように十分なスペースを提供する。
本発明の実施形態のいずれかによる外科用テンプレート１０の３Ｄ支持面は、１つまたは複数の歯、固定または取り外し可能な義歯、ブリッジまたは歯冠、充填物またはベニアリングのような修復物もしくは修復要素、骨、例えば軟組織の組織片をひらくことによって露出される顎骨、または歯肉などの軟組織またはそれらの組み合わせであってもよい。本発明の実施形態である口腔歯科インプラント配置用の外科用テンプレート１０は、外科用テンプレート１０の本体が３Ｄ支持面のネガ型であることを必要としない。本発明の１つ、いくつかまたはすべての実施形態は、その３Ｄ支持面上への外科用テンプレート１０の位置決めが固有かつ再現可能である、すなわち口内に設置され、取り外され、同じ向きで同じ位置に再設置される外科用テンプレート１０を提供する。
【００９４】
本発明の実施形態は、３Ｄ支持面と外科用テンプレートとの間の間隙と組み合わせて、例えば、支持区画１１上に限定された数（例えば、３０未満、２０未満、または１５未満かつ７超）の異なる接触機構２０を設けることによって３Ｄ支持面上への位置決めを達成する。間隙は、テンプレートの本体が３Ｄ支持面に接触するのを防ぎ、したがって３Ｄ支持面に接触し、テンプレートを力または形状拘束において支持するための所定の限定された数の接触機構２０（例えば、３０未満、２０未満または１５未満かつ７超）だけを残す。図４ｂは、図２および図３に示すような１つまたは複数の大きい接触領域（複数可）ではなく、複数の凸状の接触機構２１、２２、２３、２４、２５、２６を示す。図４ｂはまた、ねじ固定またはクランプ２７などの変形可能な接触機構２０をも示す。本発明の実施形態で使用するための変形可能な接触機構は、接触面の位置を調整ねじのような器具によって調整することができるものを含む。そのような機構はまた、プラスチック、ゴムもしくはエラストマーから作製されているような弾性接触機構であり得るか、または剛性であり得る。エラストマーは、例えば、イソプレン、ポリイソプレン、または他の合成ゴムであり得る。
【００９５】
外科用テンプレートと３Ｄ支持面との間の完全な接触を有することと比較した、限定された数の接触機構２０を有することの利点は、完全な接触領域の各単一の接触点が（正しく製造されない場合）誤った位置決めの原因となり得るため、外科用テンプレートの位置決めが不正確または不安定になる可能性が、外科用テンプレートが完全なまたは連続的な領域によって支持されることによってより高くなり、一方、本発明の実施形態では、その可能性がより低いことである。本発明の実施形態による接触機構２０は、球形、回転楕円形、円錐形、角錐形、円筒形、ナイフエッジもしくは尖鋭点、樽形または切頂球形、切頂回転楕円形、切頂円筒形、切頂樽形または切頂ナイフエッジもしくは切頂尖鋭点接触機構などの凸状構造である。接触機構２０は、歯肉を貫通することができ、すなわち、それによって、接触機構２０が歯肉を貫通することができ、その下にある骨によって支持されることができるが、好ましくはその骨を侵襲しない。接触機構は、好ましくは点対面接触部である。接触機構は、球形、回転楕円形、円錐形、角錐形または円筒形状の点接触部であり得る。接触機構はゼロ面積接触部であり得る。
【００９６】
接触機構２０は、外科用テンプレート１０の本体内へと機械加工、成形、埋め込み、または組み付けることができ、組み立て時に外科用テンプレート１０の本体と同じまたは異なる材料から作製することができる。異なる形状の接触機構の例が図５ａ、図５ｂ、図５ｃに示されている。図５ａは、（テンプレートと一体に作られた）一体的な、例えば、埋め込まれた回転楕円形接触機構２０ａを示す。接触機構２０ａはテンプレート１０と同じ材料から形成することができ、したがって剛性材料から作製することができる。積層造形法では、２つ以上の材料を使用することができ、その結果、テンプレートが積層造形によって製造されるとき、接触機構２０ａの材料はテンプレート１０の材料とは異なり得、したがって機構２０ａは、例えば、テンプレートの材料よりも弾力性があり得る。接触機構２０ｂは調整可能にすることができ、すなわちそれはテンプレート１０のねじ切り部分にねじ山で取り付けることができる。図５ｂは、一体型（テンプレートと一体に作られている）または埋め込まれたナイフエッジまたは尖鋭点接触機構２０ｂを示す。接触機構２０ｂは、テンプレート１０と同じ材料から形成することができ、したがって剛性材料から製造することができる。積層造形法では、２つ以上の材料を使用することができ、その結果、接触機構２０ｂの材料はテンプレート１０の材料とは異なり得、したがって機構２０ｂは、例えば、テンプレートの材料よりも弾力性があり得る。接触機構２０ｂは調整可能にすることができ、すなわちテンプレート１０のねじ切り部分にねじ山で取り付けることができる。接触機構２０ｂは、下にある骨上に支持されるが骨を貫通することなく、歯肉を貫通し、歯肉貫通接触機構を形成することができる尖鋭点を有することができる。歯肉貫通接触機構２０ｂは調整可能にすることができ、すなわちテンプレート１０のねじ切り部分にねじ山で取り付けることができる。図５ｃは、外科用テンプレート１０の本体と同じかまたは異なる材料から作成することができ、したがって、例えばテンプレート１０よりも弾力性であり得、例えば、プラスチック、ゴムまたはエラストマーから作成されてもよい、組み立てられた接触機構２０ｃを示す。プラスチックはアクリル樹脂であってもよく、エラストマー／ゴムはイソプレン、ポリイソプレン、または他の合成ゴムであってもよい。接触機構２０ｃは、テンプレートのスロットまたは穴に力嵌めすることができ、テンプレートのスロットまたは穴にスナップ嵌合することができ、例えば、接着剤を用いて、またははんだ付けもしくは溶接によって所定の位置に固定することができる。
【００９７】
図５ｄは、外科用テンプレート１０の本体と同じかまたは異なる材料から作製することができ、したがって、例えばテンプレート１０よりも弾力性であり得、例えば、プラスチック、ゴムまたはエラストマーから作製されてもよい、調整可能な接触機構２０ｄを示す。接触機構２０ｄは、テンプレート１０のねじ切り部分にねじ山３４で取り付けることができる。接触機構２０ｄの支持端部は、任意の既に説明されているもの、例えば、回転楕円形、球形、円筒形、ナイフエッジまたは尖鋭点、樽形、または、切頂回転楕円体、切頂球形、切頂円筒形、切頂樽形または切頂ナイフエッジもしくは切頂尖鋭点接触機構のような凸状構造であってもよい。機構の他方の端部は、例えばねじの回転によって機構の位置を調整するための器具（図６参照）を受け入れるためのねじ頭３５として構成することができる。接触機構２０ｄは、３Ｄ支持面に対する当接ねじ３４の使用により締結を達成する。接触機構２０ｄには、図５ａ〜図５ｃの他の接触機構（３１、３２、３３として示す）のいずれか、例えば回転楕円形、球形、円筒形、ナイフエッジまたは尖鋭点、樽形、または、切頂回転楕円体、切頂球形、切頂円筒形、切頂樽形または切頂ナイフエッジもしくは切頂尖鋭点接触機構のような凸状構造を設けることができる。力拘束または形状拘束の条件は、締結接触機構の方向および位置が患者の口の届きにくい領域に配置されることを要求することが可能である。図６に見られるように、当接ねじのねじ頭３５は、ドライバを当接ねじの方向とは異なる方向に向けながら、当接ねじを締め付けることを可能にするヘクサロビュラドライバ３６のような特殊なアクセス器具を受け入れるように設計することができる。これによって、当接ねじを締める機能を保ちながら、口の中でより快適な位置にドライバを位置決めすることが可能である。
【００９８】
接触機構２０は互いに干渉してはならないため、限定された数の接触機構が好ましい。適切な接触機構２０の最大数は、外科用テンプレートの本体によって覆われる３Ｄ支持面のサイズおよび接触機構のサイズによって規定される。後者は、好ましくは０．０１ｍｍ〜５ｍｍの間にある接触半径によって規定することができ、典型的な接触半径は、例えば０．１ｍｍ〜１ｍｍの間にすることができる。接触機構は、好ましくは点対面接触部である。接触機構は、球形、回転楕円形、円錐形、角錐形または円筒形状の点接触部であり得る。接触機構はゼロ面積接触部であり得る。
【００９９】
単純にするために、外科用テンプレートは、最小および最大数の接触点が上記のように規定される限定された数の接触点を有すると考えられる（例えば、３０未満、２０未満または１５未満かつ７以上）。接触機構は、ほぼ無摩擦とすることができ、または、設置されるときのテンプレートの変形によって、もしくは、例えばねじ調整によって接触機構２０の位置を調整することによって規定することができる摩擦力があってもよい。本発明による外科用テンプレートは、金属またはプラスチックなどの接触機構のための様々な材料を含むことができる。接触機構と３Ｄ支持面との間の接触の摩擦特性は、接触機構と３Ｄ支持面の両方の材料特性に大きく依存する。本発明の実施形態による外科用テンプレートは、静的「ロケータ」、または、例えば、締結圧力を形成するために調整可能な能動的、すなわち「締結」のいずれかである接触機構を含むことができる。
【０１００】
本発明の実施形態は、力拘束または形状拘束によって３Ｄ支持面上への位置決めを達成する。外科用テンプレートの力拘束定位は、これらの接触機構の幾何学的設計を通じて任意の力およびモーメントをこの３Ｄ支持面に加えることができ、同等に、３Ｄ支持面に対する外科用テンプレートの任意の動きが接触力による抵抗を受ける、３Ｄ支持面上での外科用テンプレートの把持であり、これは、３Ｄ支持面が、ゼロではない外部の仕事がなければ、接触部との接触を破ることができないことを意味する。形状拘束定位は、任意の外部の、ただし非変形の仕事の大きさおよび方向にかかわらず、３Ｄ支持面が接触機構との接触を破ることができないという意味で、力拘束把持のより厳密な適用である。３Ｄ空間において、外科用テンプレートの力拘束定位は、少なくとも２つの柔軟指摩擦接触機構、または少なくとも３つの硬質指摩擦接触機構を用いて達成され得る。その理由は、２つの柔軟指摩擦接触機構ではなく、２つの硬質指接触機構による把持では、２つの接触点を結ぶ線の周りにトルクを発生させることができず、トルクに抵抗することができないためである。形状拘束は、３Ｄ空間においては少なくとも７つの接触機構によってのみ達成することができる。２Ｄ空間では、形状拘束を実現するために必要な接触機構は４つだけであることに留意されたい。２Ｄ空間における形状拘束の原理は図５ｄに示されている。この図から、例えば、外科用テンプレートまたは３Ｄ支持面を変形させることではなく、３Ｄ支持面からテンプレートを引き離す、または傾けることを試みる、任意の外部仕事の大きさまたは方向に関係なく、３Ｄ支持面に対する外科用テンプレートの２Ｄ空間（２並進および１回転）に存在する３自由度がブロックされることは明らかである。
【０１０１】
結果として、本発明の実施形態による外科用テンプレートは、少なくとも２つの接触機構２０を含み、より典型的には７つ以上（例えば、３０未満、２０未満、１５未満）の接触機構２０を有する。接触機構は、好ましくは点対面接触部である。接触機構は、球形、回転楕円形、円錐形、角錐形または円筒形状の点接触部であり得る。接触機構はゼロ面積接触部であり得る。
【０１０２】
本発明の実施形態による外科用テンプレート１０は、歯、修復要素、インプラント、充填物、固定または取り外し可能な義歯、ベニアリングおよび／または顎骨など、口腔解剖学的構造によって形成される３Ｄ支持面の剛性領域と接触する個別の接触機構を有する外科用テンプレート１０を含む。個別の接触機構２０は、外科用テンプレート１０の位置決めの固有性を損なう可能性があるため、粘膜または歯肉などの口腔解剖学的構造の柔軟な領域と接触していないことが好ましいが、そのような接触機構は、発明の接触機構と共存することを可能にされ得る。必要な場合、軟組織の組織片を持ち上げ、その下にある骨を３Ｄ支持面として使用することができる。本発明の実施形態による外科用テンプレートは、組織片を上げる必要なしに、かつ接触部位においてその骨を非侵襲的にしながら、歯肉を通して骨表面に接触する接触機構を含み得る。本発明による外科用テンプレート１０の実施形態は、歯肉などの３Ｄ支持面の柔軟な領域に支持されるより大きい接触領域を含むことができる。しかしながら、これは、患者の口腔解剖学的構造によって形成された３Ｄ支持面の剛性領域上に配置された個別の接触機構２０を介して達成される、３Ｄ支持面上への外科用テンプレート１０の位置決めに影響しないものである。本発明の実施形態による外科用テンプレートは、７つより多くの接触機構を含むことができ、これらは、力拘束または形状拘束を達成するために必要とされないが、より良好な安定性を提供することができる。本発明の実施形態による特に有利な外科用テンプレートは、６つの静的、すなわち「ロケータ」接触機構と１つ〜３つの能動的、すなわち「締結」接触機構（複数可）とを有する外科用テンプレートであり、ここで、ロケータ接触機構は無摩擦であるかまたはほとんど摩擦がないように構成され、締結接触機構は摩擦力を利用して、または、利用せずに締結することができる。ここで、６つの静止ロケータ接触機構は術前計画に従って固有の再現可能な位置を規定し、一方、力拘束または形状拘束状態は、少なくとももう１つの接触機構、すなわち締結接触機構を加えることによって達成される。
【０１０３】
本発明の実施形態による外科用テンプレート１０は、摩擦を用いるまたは用いない１つまたは複数の接触機構を含むことができる。接触機構は、好ましくは点対面接触部である。接触機構は、球形、回転楕円形、円錐形、角錐形または円筒形状の点接触部であり得る。接触機構はゼロ面積接触部であり得る。無摩擦接触の場合、各接触部は、接触力が、接触が行われる位置において３Ｄ支持面に対して垂直に向けられる単一の点接触部である。摩擦による接触の場合、摩擦接触機構に作用する接触力の方向は、３Ｄ支持面上に頂点を有する円錐内に位置する、すなわち摩擦力は、接触点において３Ｄ支持面に対して垂直な成分および接線方向の成分に分解され得る。
【０１０４】
形状拘束が達成されるように、すべて摩擦のない、６つのロケータ接触機構および１つの締結接触機構を有する外科用テンプレートの例を考える。したがって、この特定の外科用テンプレートは、本発明の実施形態に従うと考えられる。以下に、この外科用テンプレートのための接触機構の位置を得るための、本発明の実施形態による１つの特定の方法を図８に記載し要約する。開始点は、３Ｄ支持面を抽出し規定することができる患者の画像と、任意選択的に、外科用テンプレートのデジタル表現とを含む術前計画である。３Ｄ支持面は、好ましくは、歯のような歯列の剛性要素、インプラント、ブリッジ、および歯冠のような修復要素、充填物、ベニアリング、固定または除去可能な義歯、骨および任意選択的に軟組織上にある。
【０１０５】
図８に示す外科用テンプレートを設計する方法では、ステップ１、２および３の順序は入れ替えることができる。テンプレートを設計する方法は次のとおりである。
【０１０６】
ａ）ステップ１において、患者のデジタル画像を利用し、外科用テンプレートの患者固有のデジタルバージョンが決定されるか、または外科用テンプレートのデジタルバージョンが第三者から取得される。
【０１０７】
ｂ）ステップ２において、誘導機能が設計されるか、または設計が第三者から受信される。ステップ３において、形状拘束のために、６つのロケータ接触部と１つの締結接触部から成る初期セットの位置が３Ｄ支持面上に規定され、これらの位置が外科用テンプレート１０のデジタル表現に転写される。代替的に、力拘束のために、２つの柔軟指摩擦接触部または少なくとも３つの硬質指摩擦接触点の位置を選択することができる。接触機構は、好ましくは点対面接触部である。接触機構は、球形、回転楕円形、円錐形、角錐形または円筒形状の点接触部であり得る。接触機構はゼロ面積接触部であり得る。
【０１０８】
ｃ）例えば、例として多数の接触位置部位を選択するためにモンテカルロ法を適用するために、以前の経験、または７つ以上（例えば、３０未満、２０未満、１５未満）の定位の単なる無作為選択に基づくなど、様々な方法を使用して、位置の初期セットを規定することができる。
【０１０９】
ｄ）ステップ３において、位置に加えて、形状拘束のために、これらの接触機構における３Ｄ支持面に対する垂直方向もまた、テンプレートの設置状態において規定される。形状拘束のための実施形態では、接触機構は無摩擦であると考えられ、したがってテンプレートが設置されたときにこれらの接触点において３Ｄ支持面に対して垂直方向にある接触力をもたらす。摩擦による力拘束のために接触機構に作用する力は、摩擦円錐によってモデル化することができる、すなわち、摩擦によって接触機構に作用する力は、その接触点において３Ｄ支持面に対して垂直方向の成分および接線方向の成分に分解することができることに留意されたい。
【０１１０】
ｅ）ステップ４において、オイラー−ニュートンの公式が適用され、それによっていかなる並進運動または回転運動も阻止される、すなわちゼロである。これにより、テンプレートが設置位置にあるときに、各接触機構における力およびトルクの大きさが負になり得ないという条件が生じる。この条件が満たされる場合、外科用テンプレートは力拘束を有するということになり、またこの特定の例では形状拘束を有する。
【０１１１】
ｆ）ステップ５において、条件が満たされない場合、接触点位置のセットを更新することができる。ここでも、様々な方法を使用して新しい位置のセットを規定することができ、その方法の１つは、接触点のうちの１つを無作為に選択された新しいものと置き換えることである。この新しい接触点のセットはその後、力拘束または形状拘束条件に対して再度評価される。この手順は、接触機構を毎回異なる接触機構と置き換えることによって繰り返すことができる。例えば、モンテカルロ法を適用して、多数の接触位置部位を選択して評価することができる。
【０１１２】
ｇ）接触機構のセットを、接触機構に作用する力およびトルクの分布の均一性などの他の基準に対して評価することができる。テンプレートが設置位置にあるときに、接触機構のセットの更新における反復を開始して力およびトルクの分布を最適化することができる。力およびトルク分布の均一性の最適化は、各セットについて異なる接触機構にわたる力およびトルクの大きさの分散が計算される、接触機構のセットの規定の反復を設定することを含む。極小の分散を有する接触機構のセットが、均一な力およびトルク分布の基準に対する最適なセットとなる。同様に、接触機構のうちの１つに対する最小化された最大の力を有するものについて、接触機構のセットを検索することができる。ここで、力およびトルクの最大の大きさが、接触機構の各セットについて記録される。極小の最大の大きさを有する接触機構セットが、この基準に対する最適なセットをもたらすことになる。
【０１１３】
ｈ）任意選択的に、石または石膏模型のような歯列のインビトロモデルを患者の歯列から作製することができ、接触機構を有するテンプレート１０をこの石膏模型上で試用することができる。代替的に、テンプレートを患者の口の中で試用することができる。必要に応じて、接触機構を手動で、例えば、歯科医のドリルを使用して修正することができる。
【０１１４】
ｉ）最後に、ステップ６において、その接触機構を有するテンプレートが以下に開示される方法によって製造される。
【０１１５】
以下では、その全体が参照により本明細書に組み込まれる引用文献「Ｏｐｔｉｍｉｚｉｎｇ  Ｆｉｘｔｕｒｅ  Ｌａｙｏｕｔ  ｉｎ  ａ  ｐｏｉｎｔ−ｓｅｔ  ｄｏｍａｉｎ」（Ｗａｎｇ  Ｙ．Ｍ．，  ａｎｄ  Ｐｅｌｉｎｅｓｃｕ  Ｄ．Ｍ．，  ＩＥＥＥ  Ｔｒａｎｓａｃｔｉｏｎｓ  ｏｎ  Ｒｏｂｏｔｉｃ  ａｎｄ  ａｕｔｏｍａｔｉｏｎ，ｖｏｌ．１７，Ｎｏ．３，Ｊｕｎｅ  ２００１）に基づいて、６つの無摩擦静止「ロケータ」接触点および１つの能動「締結」接触点を有する外科用テンプレートの特定の例について力拘束条件を評価するための１つの特定のアルゴリズムを説明する。
【０１１６】
以下に開示される理論によって限定されることなく、外科用テンプレートの接触機構の位置および規定を取得するための他の関連方法が本発明の範囲内に含まれ、その方法は本発明の実施形態による範囲にわたって他の外科用テンプレートを得るために適用され得る。以下において、接触点は、ゼロ面積点接触部などの点対面接触部である。点接触部は、例えば、球形、回転楕円形、円錐形、角錐形または円筒形であってもよい。
【０１１７】
３Ｄ支持面の位置ベクトルｒｉを有するｉ番目の接触点が、外科用テンプレート１０に対して小さい位置摂動δｒｉを有すると仮定する。この摂動は、３つの並進成分（ベクトルｂ）および３つの回転成分（ベクトルθ）を含む６×１ベクトル
【０１１８】
【数１】
2019528938.tif 000003
【０１１９】
によって記述される、外科用テンプレートに対する３Ｄ支持面全体のわずかな変位をもたらす。さまざまな接触機構の変位とテンプレート全体の変位との間の関係は、次のように記述することができる。
【０１２０】
【数２】
2019528938.tif 000004
【０１２１】
６  ｘ  １列ベクトルは以下のとおりである。
【０１２２】
【数３】
2019528938.tif 000005
【０１２３】
ここで、δｙｉ＝ｎｉＴδｒｉであり、ｎｉは、外科用テンプレートとの接触点における外側（３Ｄ支持面から）の単位法線ベクトルを表す３×１ベクトルである。δｙｉは、小さい動きが接触点において法線と同じ方向にある並進成分を有する場合は正であり、小さい動きが接触点において法線の反対方向にある並進成分を有する場合には負であり、小さい動きが接触点において法線に垂直であるときは０であるスカラーである。これの実際的理解は、δｙｉ＞０が外科用テンプレート内への接触点の（禁止された）動きであること、δｙｉ＜０が科用テンプレートから離れる（接触が失われる）接触点の動きであること、および、δｙｉ＝０が外科用テンプレートと平行な動きである（接触は保持される）ことである。３Ｄ支持面とのｍ個の接触機構を有する外科用テンプレートの場合、個々の摂動式は、外科用テンプレートシステム全体を以下のように記述する単一の式にまとめることができる。
【０１２４】
【数４】
2019528938.tif 000006
【０１２５】
ここで、
【０１２６】
【数５】
2019528938.tif 000007
【０１２７】
であり、Ｇ＝［ｇ１  ｇ２  ・・・  ｇｍ］６×ｎ行列は、ｎ個の異なる接触機構を介して外科用テンプレートを３Ｄ支持面上に固定する力学動態を完全に特徴付ける。決定論的局在化は、加工片が少なくとも１つのロケータとの接触を失うことなしにいかなる微小運動をすることもできないことを示す基本的な要件である。これは、ロケータ行列Ｇが６のフルランク、すなわちランクＧ＝６を有する場合に限り当てはまる。
【０１２８】
静的ロケータ接触機構と、位置ベクトルｒｃおよび単位表面法線ｎｃによって規定されるクランプとを有する本発明の特定の実施形態を検討する。接触点について、３Ｄ支持面にかかる締結力は次のように与えられる。
【０１２９】
【数６】
2019528938.tif 000008
【０１３０】
ここで、λｃ＞０は締結力の大きさを表す。Ｑが、空間的に固定されていると考えられる外科用テンプレートに対して３Ｄ支持面に加えられるすべての外力をとする。より直感的には、Ｑは、３Ｄ支持面に対して外科用テンプレートに加えられる重力、手動の引っ張り、手動の押しなどのようなすべての力を表す。このとき、平衡式は次のように与えられる。
【０１３１】
【数７】
2019528938.tif 000009
【０１３２】
ここで、第１の項は静的ロケータ接触部内の内力を表し、第２の項は能動的締結接触部内の力を表し、第３の項は外科用テンプレートに加えられる外力を表す。ここで、非負のｎ  ｘ  １列ベクトル
【０１３３】
【数８】
2019528938.tif 000010
【０１３４】
は、各一般化接触力ｆｉの大きさの集合であり、ここで、ｆｉ＝ｔｉｇｉである。
ロケータ接触力ｔの強度（大きさ）についてのこの式の解の一般形は次のように表現することができる。
【０１３５】
【数９】
2019528938.tif 000011
【０１３６】
式中、Ｇ＋＝ＧＴ（ＧＧＴ）−１およびＰ＝Ｇ＋Ｇである。
ここで、Ｇ＋はＧの擬似逆であり、Ｐは予測行列であり、γはｎ×１ベクトルである。最初の２つの項は式の特定の解であり、それぞれ外力Ｑおよび締結作用に応じたロケータ接触力の大きさを表す。最後の項は斉次解を表し、ロケータ間の内力に対応する。ロケータは受動的な要素であるため、これらの内力は物理的に発生するべきではない。したがって、最後の項は無視しなければならず、力拘束要件は以下のようになる（Ｇ＝６のランクという要件の隣）。
【０１３７】
【数１０】
2019528938.tif 000012
【０１３８】
ここで、ｉ＝１．．．ｎであり、ｎは接触機構の数であり、式中、Ｍ＝ＧＧＴであり、この場合は外科用テンプレートである治具のフィッシャー情報行列と呼ばれる。解析は、力拘束条件が各ロケータの位置（ｇｉ）とクランプの位置（ｇｃ）に同時に依存することを示している。さらに、力拘束条件が各クランプについて別個に満足される場合、貝の任意の組み合わせの締結もまた条件を満足しなければならない。したがって、マルチクランプ治具の力拘束解析は、連続した１クランプ治具解析に縮小することができる。
【０１３９】
力拘束の条件の上記の導出は、提示された本発明の特定の実施形態、すなわち６つのロケータ接触機構および１つの締結接触点を有する無摩擦接触機構の場合に適用可能である。同じく本発明の実施形態による外科用テンプレートの他の構成は、接触機構摩擦を含むことができる。摩擦による接触点において作用する力は、摩擦力の接線成分を考慮に入れる必要がある摩擦円錐によって表すことができる。上述のアルゴリズムと同様のアルゴリズムを適用して、摩擦を伴う接触機構が含まれるときの力拘束条件を求めることができる（例えば、その全体が参照により本明細書に組み込まれる引用文献「Ｃｌｏｓｕｒｅ  ｐｒｏｂｌｅｍ  ａｎｄ  Ｆｏｒｃｅ  ｏｐｔｉｍｉｚａｔｉｏｎ  ｉｎ  ｆｉｘｔｕｒｅｓ  ａｎｄ  ｒｏｂｏｔｉｃ  ｍａｎｉｐｕｌａｔｉｏｎ」（Ｊ．Ｍａ，Ｍ．Ｙ．Ｗａｎｇ  ａｎｄ  Ｘ．Ｚｈｕ，  ６ｔｈ  ａｎｎｕａｌ  ＩＥＥＥ  Ｃｏｎｆｅｒｅｎｃｅ  ｏｎ  ａｕｔｏｍａｔｉｏｎ  ｓｃｉｅｎｃｅ  ａｎｄ  ｅｎｇｉｎｅｅｒｉｎｇ，Ｃａｎａｄａ，２０１０）を参照されたい）。
【０１４０】
当業者は、前段落で述べたように、力拘束要件または性能最適化要件を満たすロケータ位置を求めるためのいくつかの方法フローが存在することを認識する。本発明は、上記の特定の方法フローによって限定されず、その範囲内に任意のそのような方法フローを含む。本発明の実施形態は、これらの条件のいずれかを満たす接触機構のセットを得るために使用される方法フローにかかわらず、力拘束条件または形状拘束を満たす外科用テンプレートの任意の設計を含む。
【０１４１】
本発明の実施形態による外科用テンプレート１０は、以下の２つの態様、すなわち、力拘束または形状拘束のロケータ位置決定およびクランプ構成設計を含むかまたはそれらから成るレイアウト設計を有する。所与の３Ｄ支持面について、力拘束または形状拘束の条件を満たすための、本発明の実施形態による外科用テンプレートのための接触機構の多数のセットが存在し得る。本発明の実施形態は、ａ）正確度局在化（すなわち、ロケータの位置誤差に対する外科用テンプレートの位置正確度のロバスト性）、ｂ）ロケータ接触力の最小化、およびｃ）ロケータ力の最適化されたバランスのような治具性能基準を有する外科用テンプレートを含む。本発明の実施形態は、これらの最適化された性能条件を任意選択的に含むことができるが、必須ではない。
【０１４２】
本発明の実施形態は、３Ｄ支持面上に外科用テンプレートを締結する様々な方法を有する外科用テンプレート１０を含む。本発明の実施形態による外科用テンプレートに含まれ得る様々な締結メカニズムの例は、（限定されるものではないが）、当接ねじ（複数可）の使用による締結、外科用テンプレートの初期変形が、接触機構に対する締結力をもたらす外科用テンプレート内の内部応力を生成する外科用テンプレートの３Ｄ支持面へのスナップ留めによる締結、レバー（複数可）の使用による締結、ばね（複数可）の使用による締結、カンチレバーによる締結などであってもよい。例えば、図４ｂは、締結が３Ｄ支持面に対する当接ねじ２８の使用によって達成される、６つのロケータ接触機構２１、２２、２３、２４、２５、２６と１つの締結点２７とを有する、外科用テンプレートの特定の実施形態の視覚化である。
【０１４３】
本発明の実施形態は、外科用テンプレートの本体、誘導機構および接触機構に使用される多様な材料を含む。これは、接触機構の摩擦特性を変えることができることなど、いくつかの利点を有することができる。さらに、外科用テンプレートの本体は、複数の材料の組み合わせを含むかまたはそれらから成ることができる。例えば、外科用テンプレート１０の特定の実施形態は、チタン、チタンアルミニウムもしくはチタンバナジウムのようなチタン合金、コバルトまたはコバルトクロムもしくはコバルトモリブデンのようなコバルト合金のような貴金属から作製される一体型外科用テンプレートであり得る。本体が金属フレームワークであると考えられる外科用テンプレートは、以下の理由により、硬化エポキシ樹脂などのポリマー系材料などの他の材料よりも特に有利であり得る。
【０１４４】
ａ）良好な形態安定性および熱、湿気または放射線に対する耐性、これは外科用テンプレートの滅菌に有益であり得る。
【０１４５】
ｂ）金属の特別な強度は、穿孔中の良好な洗浄、より良好な視認性および最小切開手術の使用のためにインプラント部位への優れたアクセスを与える広い（必要最低限の）設計を可能にする。
【０１４６】
ｃ）より正確なインプラント位置整合をも可能にする正しい位置への再現可能な嵌合の容易さ。
【０１４７】
ｄ）ブッシングではなく一体化ボアホールがテンプレートの製造を単純にし、ドリルガイドの精度を高める。
【０１４８】
ｅ）これらのすべては、費用が関係している限りにおいて、ならびにまた技術的および審美的な品質においても、患者にとってより良い治療に貢献する。
【０１４９】
しかしながら、金属テンプレートの使用は限定されており、本発明は、接触機構の接触面積を減少させ、正確な配置をより容易にするなどの有利な改善を提供する。
【０１５０】
本発明の実施形態による外科用テンプレートは、様々な方法によって製造することができる。本発明の特定の実施形態は、容積測定走査、または、ＣＴ走査、ＣＢＣＴ走査およびＭＲＩ走査もしくは光学的走査などの他の走査から外科用テンプレートを生成する製造方法を含む。本発明の範囲内に含まれる製造方法は、積層造形またはより単純には「積層造形」法、フライス加工法またはそれらの組み合わせを含むことができる。積層造形という技術用語は広い意味で理解されるべきである。ＩＳＯ／ＡＳＴＭ５２９００−１５は、７つのカテゴリーのＡＭプロセス、すなわち、結合剤噴射、指向性エネルギー堆積、材料押出し、材料噴射、粉末床溶融、シート積層および液槽光重合を定義する。そのような方法は、層ごとに材料を追加することによって原材料の塊を所望の形状に変換する３Ｄ作業エンベロープを進む。積層造形のその他の用語は、デスクトップ造形、迅速造形、ラピッドプロトタイピング、およびオンデマンド造形またはオンデマンド印刷または３Ｄ印刷を含む。層を堆積させて部品を形成する方法および使用される材料に関係なく、積層プロセスが本発明の範囲内に含まれる。適切な方法は、層を製造するための材料の溶融または軟化、例えば、選択的レーザ溶融（ＳＬＭ）または直接金属レーザ焼結（ＤＭＬＳ）、選択的レーザ焼結（ＳＬＳ）、溶融堆積モデリング（ＦＤＭ）、または溶融フィラメント製造（ＦＦＦ）を含むことができ、これはまた、ステレオリソグラフィ（ＳＬＡ）、または積層物製造（ＬＯＭ）などの異なる技術を用いた液体材料の硬化も含む。本発明の実施形態による積層造形方法のいずれか、いくつか、またはすべては、必要に応じて犠牲材料および支持材料の使用を含む。
【０１５１】
適切な材料は以下のいずれかである。
ＳＬＭ：Ｔｉ、ＣｏＣｒ、（ステンレス）鋼、銀、金、青銅、真鍮、アルミニウム、
ＳＬＡ：エポキシ樹脂、アクリル樹脂、アクリルエポキシ樹脂、ＴＰＡ
ＦＤＭ：ＡＢＳ、ポリカーボネート、ＰＰＳＵ、
フライス加工：すでに上述した金属、ＡＢＳ、アセタール、アクリル、ＰＯＭ、ガラス繊維入りナイロン、ナイロン、ＰＥＥＫ、フェノール、ＰＣ、ポリエチレン、ポリプロピレン、ポリスチレン、ＰＴＦＥ、ＰＶＣ、ＰＰＳ、ポリアミドポリマー、フルオロポリマー、ＰＥＩ、フッ化炭素樹脂、ガラスエポキシ、ＰＰＥ、ナイロン、ニッケル合金、ベリリウム銅、鉄合金
ＳＬＳ：ポリアミド、ガラス繊維入りポリアミド、アルマイド、難燃性ポリアミド、熱可塑性ポリウレタン
ジェット印刷：アクリレート、樹脂、ビニルポリマー、石膏
真空鋳造：ポリウレタン、ＴＰＥ、ＡＢＳ、ＰＰ、ＰＣ、ＰＥ。
【０１５２】
本発明の実施形態は組み合わされた方法を含むことができる。本発明の特定の実施形態は、選択的レーザ溶融（ＳＬＭ）およびコンピュータ数値制御（ＣＮＣ）フライス加工の組み合わせを使用する。この特定の実施形態では、接触機構の最終位置および形状、ならびに、誘導シリンダの内径のような誘導機構の他の寸法を正確に決定するために、フライス加工ステップは積層造形ステップ（ＳＬＭ）に後続することができる。前述の特定の実施形態に記載されているような製造技術の組み合わせでは、印刷ビルドプレートとフライス加工設定との間の参照が使用されることが好ましく、それによって、フライス加工イベントが装置上の正しいスポットにおいて行われる。オプションは少なくとも以下の通りである。
【０１５３】
○  ハブ：印刷中、ガイド（１つ以上）がハブに接続されている。印刷後、ハブおよび付属のガイドが専用のハブプレースホルダに配置されて、フライス加工中に参照される。
【０１５４】
○  印刷ビルドプレート上の参照オブジェクト。これにより、印刷用ビルドプレート上で直接フライス加工すること、すなわちバッチフライス加工が可能になり、ハブの設計および構築が回避されることになる。
【０１５５】
本発明の実施形態はまた、例えば上記で説明された方法フローによって提供される設計からの手作業による彫刻またはフライス加工を含む除去加工である他の製造方法も含む。
【０１５６】
本発明の実施形態による外科用テンプレートの製造後、および必要な嵌合調整の後、図７に示すようにコンピュータ誘導治療を実行することができる。ステップ１０から１３において、外科用テンプレートは上述のように設計され製造される。ステップ１４において、テンプレートが、例えば、歯、インプラント、ブリッジ、歯冠、充填物、ベニアリング、固定もしくは取り外し可能な義歯または骨などの修復要素の表面など、３Ｄ支持面上に位置する患者の口の中に配置され、１つまたは複数の誘導機構が、外科用器具を誘導するために使用される。例えば、器具は、インプラントが配置される骨に穴を穿孔するための１つまたは複数のドリル、またはインプラント配置器具、すなわち、インプラントホルダ、または、顎骨を縮小または平坦化するための骨ピエゾトーム、または、後続の外科的介入に備えて口腔内マーキングを所定の位置に作成するためのマーキング装置であってもよい。テンプレートの形状は、手術部位への良好な視認性を可能にし得、また手術部位への良好な洗浄をも可能にし得る。
【０１５７】
本発明はまた、画像を操作するためのコンピュータ、ＣＮＣフライス盤、積層造形装置、ＣＴ、ＣＢＣＴ、ＭＲＩまたは光スキャナなどのスキャナのようなデジタル処理能力を有する様々な装置を含むシステムに関する。これらの装置は、１つまたは複数のマイクロプロセッサ、中央処理装置（ＣＰＵ）および／またはグラフィックス処理装置（ＧＰＵ）のようなマイクロコントローラを含み、これらはソフトウェア、すなわち１つまたは複数のコンピュータプログラムでプログラムされることによってそれぞれの機能を実行する。
【０１５８】
これらの装置のいずれか、いくつかまたはすべては、メモリ（非一時的コンピュータ可読媒体、ＲＡＭおよび／またはＲＯＭなど）、オペレーティングシステム、固定フォーマットディスプレイのようなディスプレイ、キーボードのようなデータ入力装置、「マウス」などのポインタ装置、他の装置にアタッチするためのシリアルまたはパラレルポート、任意のネットワークに接続するためのネットワークカードおよび接続を有することができる。
【０１５９】
ソフトウェアは、ソフトウェアがそれぞれの１つまたは複数の装置にロードされ、マイクロプロセッサ、ＡＳＩＣ、ＦＰＧＡなどの１つまたは複数の処理エンジン上で実行されるとき、以下の機能を実行するように適合することができる。
【０１６０】
患者の歯列のデジタル画像を取得すること、
患者の歯列のデジタル画像の処理および操作を可能にすること、
外科用テンプレートのための３Ｄ支持面を抽出および表示して、テンプレートのデジタル版を患者の歯列の画像内への配置を可能にし、決定するために外科用テンプレートの患者特有のデジタル版を表示および変更すること。
【０１６１】
ソフトウェアは、ソフトウェアがそれぞれの１つまたは複数の装置にロードされ、マイクロプロセッサ、ＡＳＩＣ、ＦＰＧＡなどの１つまたは複数の処理エンジン上で実行されるとき、以下の機能を実行するように適合することができる。
【０１６２】
形状拘束について、６つのロケータ接触部と１つの締結接触部のような接触機構の初期セットの位置を３Ｄ支持面上に表示し、これらの位置を外科用テンプレートのデジタル表現に移すこと。代替的に、力拘束について、２つの柔軟指摩擦接触部または少なくとも３つの硬質指摩擦接触点の位置を表示すること。
【０１６３】
任意選択的に、形状拘束について、テンプレートが３Ｄ支持面上の設置位置にあるときに、これらの接触機構の３Ｄ支持面に対する法線方向の規定を可能にすること。形状拘束について、接触機構は無摩擦であると考えられ得、したがってテンプレートが設置されたときにこれらの接触点において３Ｄ支持面に対して垂直方向にある接触力をもたらす。摩擦による力拘束のために接触機構に作用する力は、摩擦円錐によってモデル化することができる、すなわち、摩擦によって接触機構に作用する力は、その接触点において３Ｄ支持面に対して垂直方向の成分および接線方向の成分に分解することができる。
【０１６４】
ソフトウェアは、ソフトウェアがそれぞれの１つまたは複数の装置にロードされ、マイクロプロセッサ、ＡＳＩＣ、ＦＰＧＡなどの１つまたは複数の処理エンジン上で実行されるとき、以下の機能を実行するように適合することができる。
【０１６５】
任意の並進運動または回転運動がブロックされる、すなわちゼロであるオイラー・ニュートンの公式を適用すると、テンプレートが設置位置にあるとき、各接触機構における力およびトルクの大きさは負になり得ないという条件がもたらされる。この条件が満たされる場合、外科用テンプレートは力拘束を有し、おそらく形状拘束を形成するということになる。
【０１６６】
条件が満たされない場合、ソフトウェアは、接触点位置のセットが更新されることを可能にするように適合され、例えば、位置の新しいセットを規定するためのさまざまな方法を可能にし、それらの方法のうちの１つは、１つの接触点を、無作為に選択された新しい位置と置き換えることである。
【０１６７】
ソフトウェアは、この新しい接触点のセットがその後、力拘束または形状拘束条件に対して再度評価されることを可能にするように適合することができる。
【０１６８】
ソフトウェアは、接触機構の各セットが、接触機構に作用する力およびトルクの分布の均一性などの他の基準に対して評価されることを可能にするように適合することができる。
【０１６９】
ソフトウェアは、テンプレートが設置位置にあるときに、力およびトルクの分布を最適化するために、接触機構のセットの更新における反復を可能にするように適合することができる。
【０１７０】
ソフトウェアは、力およびトルク分布の均一性の最適化を可能にするように適合することができ、各セットについて異なる接触機構にわたる力およびトルクの大きさの分散が計算される、接触機構のセットの規定の反復を設定することを含むことができる。
【０１７１】
ソフトウェアは、極小の分散を有する接触機構のセットが、均一な力およびトルク分布の基準に対する最適なセットとして選択されることを可能にするように適合することができる。
【０１７２】
ソフトウェアは、接触機構のうちの１つに対する最小化された最大の力を有するものについて、接触機構の各セットを検索することを可能にするように適合することができる。
【０１７３】
ソフトウェアは、接触機構の各セットについて力およびトルクの最大の大きさの記録を可能にするように適合することができる。
【０１７４】
ソフトウェアは、極小の最大の大きさを有する接触機構のセットを選択するように適合することができる。
【０１７５】
接触機構は、球形、回転楕円形、円錐形、角錐形または円筒形状の点接触部であり得る。
【０１７６】
接触機構はゼロ面積接触部であり得る。
ソフトウェアは、例えば、積層造形、ＣＮＣフライス加工などのためのファイルなど、製造に適したその接触機構を有するテンプレートのデジタルファイルを生成することを可能にするように適合することができる。
【０１７７】
上記のソフトウェアのいずれも、サーバのようなネットワーク装置を含む、上記の層値のいずれかの処理エンジン用にコンパイルされたコンピュータプログラム製品として実装されてもよい。コンピュータプログラム製品は、光ディスク（ＣＤ−ＲＯＭまたはＤＶＤ−ＲＯＭ）、デジタル磁気テープ、磁気ディスク、ＵＳＢフラッシュメモリ、ＲＯＭなどのソリッドステートメモリなどの非一時的信号記憶媒体に記憶することができる。
【図１Ａ】
2019528938.tif 000013
【図１Ｂ】
2019528938.tif 000014
【図２】
2019528938.tif 000015
【図３】
2019528938.tif 000016
【図４Ａ】
2019528938.tif 000017
【図４Ｂ】
2019528938.tif 000018
【図４Ｃ】
2019528938.tif 000019
【図５Ａ】
2019528938.tif 000020
【図５Ｂ】
2019528938.tif 000021
【図５Ｃ】
2019528938.tif 000022
【図５Ｄ】
2019528938.tif 000023
【図６】
2019528938.tif 000024
【図７】
2019528938.tif 000025
【図８】
2019528938.tif 000026
【手続補正書】
【提出日】平成30年7月25日(2018.7.25)
【手続補正１】
【補正対象書類名】特許請求の範囲
【補正対象項目名】全文
【補正方法】変更
【補正の内容】
【特許請求の範囲】
【請求項１】
口腔の一部分によって規定される３Ｄ支持面に嵌合するための歯科外科用テンプレートであって、前記外科用テンプレートは、１つまたは複数の歯科用器具を誘導するための１つまたは複数の誘導機構と、少なくとも７つの接触機構から成るセットとを含む本体であり、各接触機構は、点対面接触部である点接触部によって前記３Ｄ支持面の剛性部分に接触するように構成されており、各点接触部は、特異点接触において前記３Ｄ支持面の前記剛性部分に接触するように構成されており、前記本体は、前記接触機構のセットと前記１つまたは複数の誘導機構とを接続して単一部品にし、前記接触機構のセットを有する前記歯科外科用テンプレートは、前記外科用テンプレートが前記３Ｄ支持面上に設置されるときに、前記３Ｄ支持面と協働して、形状拘束を達成するように構成されており、これにより、前記本体は、前記３Ｄ支持面と接触しないように構成される、本体と、１つまたは複数の接触機構を、形状拘束の条件を満たす前記３Ｄ支持面の前記剛性部分にスナップ留めすることができるような、前記外科用テンプレートの一時的変形による締結機構とを有し、形状拘束は、前記テンプレートに作用する任意の外力、すなわち力の大きさと力の方向と力の位置との任意の組み合わせによって前記外科用テンプレートを前記３Ｄ支持面からいずれの方向においても取り外すことができない条件であり、このとき、前記３Ｄ支持面が変形することはなく、または、前記外科用テンプレートが変形することはなく、後者は、前記外科用テンプレートの前記本体に対する前記接触機構の位置の変位を含む、歯科外科用テンプレート。
【請求項２】
少なくとも６つの接触機構が受動ロケータ接触機構であり、少なくとも１つの接触機構が能動的締結接触機構である、請求項１に記載の外科用テンプレート。
【請求項３】
前記点接触部が、球形、回転楕円形、円錐形、角錐形または円筒形状の点接触部である、請求項１または２に記載の外科用テンプレート。
【請求項４】
前記点接触部がゼロ面積接触部である、請求項１または２または３に記載の外科用テンプレート。
【請求項５】
前記３Ｄ支持面の前記剛性部分は、顎骨の一部分、天然歯列もしくは歯科修復物、取り外し可能な義歯、固定義歯、充填物、ベニアリングなど、またはそれらのインビトロコピーに対応する、先行する請求項のいずれか１項に記載の外科用テンプレート。
【請求項６】
積層造形技法、鋳造およびフライス加工またはそれらの組み合わせのいずれかから作成される、先行する請求項のいずれか１項に記載の外科用テンプレート。
【請求項７】
前記物理的接触機構の最終形状および位置がＣＮＣフライス加工ステップによって得られる、積層造形技法とＣＮＣフライス加工との組み合わせから作成される、先行する請求項のいずれか１項に記載の外科用テンプレート。
【請求項８】
前記ＣＮＣ器具が前記位置を決定することを可能にする参照機構を含む、請求項７に記載の外科用テンプレート。
【請求項９】
歯科用インプラントの配置を支援すること、マーキングを転写すること、または顎骨の縮小または平坦化に使用するための患者特有の外科用テンプレートである、先行する請求項のいずれか１項に記載の外科用テンプレート。
【請求項１０】
歯科用インプラントのための骨切り部を作成すること、および術前計画に従って前記歯科用インプラントを配置することを支援するのに使用するための患者特有の外科用テンプレートである、先行する請求項のいずれか１項に記載の外科用テンプレート。
【請求項１１】
前記術前計画は、ＣＴもしくはＣＢＣＴもしくはＭＲＩ、または光学的走査から選択され、医用画像に記録される容積測定走査画像である、患者の解剖学的構造の画像を含む、請求項１０に記載の外科用テンプレート。
【請求項１２】
骨切り術またはマーキングの転写において使用される外科用器具を誘導するために、前記外科用テンプレート内に前記誘導機構が設けられている、先行する請求項のいずれか１項に記載の外科用テンプレート。
【請求項１３】
前記骨切り術が、骨腔または骨の縮小または平坦化である、請求項１２に記載の外科用テンプレート。
【請求項１４】
１つまたは複数の外科用構成要素が、前記構成要素を手術位置に運ぶために、前記誘導機構内にまたは前記誘導機構を通して挿入され得る、先行する請求項のいずれか１項に記載の外科用テンプレート。
【請求項１５】
前記１つまたは複数の外科用構成要素は、
１つまたは複数のドリルおよび／またはインプラント配置器具、もしくはインプラントホルダ、または
前記顎骨を縮小または平坦化するための骨ピエゾトーム、または
後続の外科的介入に備えて口腔内マーキングを所定の位置に作成するためのマーキング装置である、請求項１４に記載の外科用テンプレート。
【請求項１６】
３Ｄ支持面に嵌合し、前記３Ｄ支持面によって支持されるための歯科外科用テンプレートを作成する方法であって、
前記３Ｄ支持面はヒトの口腔の一部分によって規定され、前記外科用テンプレートは、  前記３Ｄ支持面の少なくとも剛性部分に対する、接触機構の限定されたセットを有し、前記外科用テンプレートが前記３Ｄ支持面に嵌合すると、前記外科用テンプレートおよび前記３Ｄ支持面は協働して形状拘束を達成し、
前記方法は、
ＣＴもしくはＣＢＣＴもしくはＭＲＩから、またはインビトロモデルの光学的走査もしくは光学的口腔内走査から選択され、医用画像に記録される容積測定走査法を通じて取得される患者の解剖学的構造の画像を含む術前計画を取得すること、前記３Ｄ支持面に嵌合し、前記３Ｄ支持面によって支持されるための外科用テンプレートのデジタル版を生成すること、前記外科用テンプレート内に、前記３Ｄ支持面の少なくとも剛性部分に対して接触機構の限定されたセットを提供することであって、前記接触機構は点対面接触部である、提供すること、および、前記外科用テンプレートが前記３Ｄ支持面に嵌合するとき、前記３Ｄ支持面と協働して形状拘束を達成する能力に関して、前記外科用テンプレートを評価することであって、形状拘束は、前記テンプレートに作用する任意の外力、すなわち力の大きさと力の方向と力の位置との任意の組み合わせによって前記外科用テンプレートを前記３Ｄ支持面からいずれの方向においても取り外すことができない条件であり、このとき、前記３Ｄ支持面が変形することはなく、または、前記外科用テンプレートが変形することはなく、後者は、前記外科用テンプレートの前記本体に対する前記接触機構の位置の変位を含む、評価すること、ならびに
積層造形法または鋳造またはフライス加工またはそれらの組み合わせによって前記外科用テンプレートを作製すること
を含む、方法。
【請求項１７】
前記点接触部が、球形、回転楕円形、円錐形、角錐形または円筒形状の点接触部である、請求項１６に記載の方法。
【請求項１８】
前記点接触部がゼロ面積接触部である、請求項１６または１７に記載の方法。
【請求項１９】
処理エンジン上で実行されると、請求項１６〜１８のいずれか１項に記載の方法を実行する、コンピュータプログラム製品。
【請求項２０】
請求項２０に記載のコンピュータプログラム製品を記憶する非一時的記憶媒体。
【請求項２１】
３Ｄ支持面に嵌合し、前記３Ｄ支持面によって支持されるための外科用テンプレートを作製するためのシステムであって、前記３Ｄ支持面は、ヒトの口腔の一部分によって規定され、前記外科用テンプレートは、前記３Ｄ支持面の少なくとも剛性部分に対する、接触機構の限定されたセットを有し、前記接触機構は点接触部であり、前記外科用テンプレートおよび前記３Ｄ支持面は、前記外科用テンプレートが前記支持面に嵌合するときに協働して形状拘束を達成し、前記システムは、
ＣＴもしくはＣＢＣＴもしくはＭＲＩスキャナから、または光学スキャナから選択される容積測定スキャナ、および、走査された医用画像を記録するための手段と、
術前計画からの患者の解剖学的構造の画像を表示することと、３Ｄ支持面に嵌合し、前記  Ｄ支持面によって支持されるための外科用テンプレートのデジタル版を生成することと、前記外科用テンプレート内に、前記３Ｄ支持面の少なくとも前記剛性部分に対する、接触機構の限定されたセットを提供することと、前記外科用テンプレートが、１つまたは複数の接触機構を、形状拘束の条件を満たす前記３Ｄ支持面の前記剛性部分にスナップ留めることができるような、前記外科用テンプレートの一時的変形による締結によって前記支持面に嵌合するとき、前記３Ｄ支持面と協働して形状拘束を達成する能力に関して、前記外科用テンプレートを評価することとを行うためのコンピュータと、
前記外科用テンプレートを作製するための積層造形または鋳造またはフライス加工機械またはそれらの組み合わせと
を備える、システム。
【請求項２２】
前記点接触部が、球形、回転楕円形、円錐形、角錐形または円筒形状の点接触部である、請求項２１に記載のシステム。
【請求項２３】
前記点接触部がゼロ面積接触部である、請求項２２または２３に記載のシステム。
【請求項２４】
外科用テンプレートをデジタル的に設計するためにコンピュータシステムを使用して製造のために前記外科用テンプレートを調製する方法であって、
１）点対面接触部において３Ｄ支持面の第１のデジタル表現と接触する接触機構のセットを提供することであって、前記３Ｄ支持面の前記第１のデジタル表現は、ヒトの口腔の一部によって画定される、接触機構のセットを提供することと、
２）歯科用器具のための１つまたは複数の誘導機構の第２のデジタル表現を提供することと、
３）前記３Ｄ支持面と接触しておらず、前記接触機構のセットと前記１つまたは複数の誘導機構とを単一部品に接続する本体の第３のデジタル表現を提供することであって、前記接触機構の位置は、前記コンピュータシステムによって、最初に、前記外科用テンプレートと前記３Ｄ支持面との間で点接触が発生すべきである、前記３Ｄ支持面の前記第１のデジタル表現上の少なくとも７つの空間位置を数学的に決定することによって、コンピュータシステムによって達成され、前記接触機構のセットの位置は、前記コンピュータシステムによって、数学的形状拘束条件に対して、前記３Ｄ支持面の前記第１のデジタル表現上の位置のセットおよび前記３Ｄ支持面の前記第１のデジタル表現に対する前記位置のそれぞれの法線方向を評価する数学的アルゴリズムを通じて決定され、前記外科用テンプレートの前記接触機構のセットは、前記機構が正確にこれらの位置においてゼロ面積点接触部内で前記３Ｄ支持面の前記第１のデジタル表現に接触するようなものである、第３のデジタル表現を提供することと
を含む、方法。
【請求項２５】
前記接触機構が、球形、回転楕円形、円錐形、角錐形または円筒形状の点接触部である、請求項２４に記載の方法。
【請求項２６】
前記接触機構がゼロ面積接触部である、請求項２４または２５に記載の方法。
【請求項２７】
球形または回転楕円形状の点接触部について、球形または回転楕円形接触機構の中心は、前記数学的アルゴリズムによって力または形状拘束条件内にあるように決定された位置において、前記３Ｄ支持面の前記第１のデジタル表現の法線上に配置され、前記法線に沿った中心の前記位置は、選択された半径に依存する、請求項２５または２６に記載の方法。
【請求項２８】
接触球の半径と中心との組み合わせが、前記３Ｄ支持面上の以前に決定されている位置においてゼロ面積点接触部が達成されるようなものである、請求項２７に記載の方法。
【請求項２９】
物理的テンプレートが、デジタル設計面の積層造形、鋳造またはＣＮＣフライス加工、またはそれらの組み合わせによって達成される、請求項２７または２８に記載の方法。
【国際調査報告】
2019528938.tif 000027
2019528938.tif 000028
2019528938.tif 000029